(57)【要約】  映像処理装置の構成を簡略化する。表示装置において、第１バックエンド処理部には、第１サブ入力映像と第２サブ入力映像とが入力され、第２バックエンド処理部には、第１残余入力映像と第２残余入力映像とが入力される。第１全体入力映像は、第１サブ入力映像と第１残余入力映像とを組み合わせて構成される。表示装置が第１全体入力映像を処理する場合には、第１バックエンド処理部が第１サブ入力映像を処理し、かつ、第２バックエンド処理部が上記第１残余入力映像を処理する。
2019111815.tif 000002
【特許請求の範囲】
【請求項１】
第１映像処理部と第２映像処理部とを備えた映像処理装置であって、
第１全体入力映像が、第１サブ入力映像と第１残余入力映像とを組み合わせて構成され、
第２全体入力映像が、第２サブ入力映像と第２残余入力映像とを組み合わせて構成され、
上記第１映像処理部には、上記第１サブ入力映像と上記第２サブ入力映像とが入力され、
上記第２映像処理部には、上記第１残余入力映像と上記第２残余入力映像とが入力され、
上記映像処理装置は、上記第１全体入力映像または上記第２全体入力映像の一方を処理し、
上記映像処理装置が上記第１全体入力映像を処理する場合には、
上記第１映像処理部が上記第１サブ入力映像を処理し、かつ、上記第２映像処理部が上記第１残余入力映像を処理し、
上記映像処理装置が上記第２全体入力映像を処理する場合には、
上記第１映像処理部が上記第２サブ入力映像を処理し、かつ、上記第２映像処理部が上記第２残余入力映像を処理することを特徴とする映像処理装置。
【請求項２】
上記第１全体入力映像において、
上記第１残余入力映像と隣接する上記第１サブ入力映像の境界を第１サブ入力境界映像として、
上記第１サブ入力映像と隣接する上記第１残余入力映像の境界を第１残余入力境界映像として、
上記映像処理装置が上記第１全体入力映像を処理する場合には、
上記第１映像処理部は、上記第１サブ入力境界映像を上記第２映像処理部に供給し、
上記第２映像処理部は、上記第１残余入力境界映像を上記第１映像処理部に供給し、
上記第１映像処理部は、上記第２映像処理部から供給された上記第１残余入力境界映像を参照して上記第１サブ入力映像を処理し、かつ、
上記第２映像処理部は、上記第１映像処理部から供給された上記第１サブ入力境界映像を参照して上記第１残余入力映像を処理し、
上記第２全体入力映像において、
上記第２残余入力映像と隣接する上記第２サブ入力映像の境界を第２サブ入力境界映像として、
上記第２サブ入力映像と隣接する上記第２残余入力映像の境界を第２残余入力境界映像として、
上記映像処理装置が上記第２全体入力映像を処理する場合には、
上記第１映像処理部は、上記第２サブ入力境界映像を上記第２映像処理部に供給し、
上記第２映像処理部は、上記第２残余入力境界映像を上記第１映像処理部に供給し、
上記第１映像処理部は、上記第２映像処理部から供給された上記第２残余入力境界映像を参照して上記第２サブ入力映像を処理し、かつ、
上記第２映像処理部は、上記第１映像処理部から供給された上記第２サブ入力境界映像を参照して上記第２残余入力映像を処理することを特徴とする請求項１に記載の映像処理装置。
【請求項３】
上記映像処理装置が上記第１全体入力映像を処理する場合には、
上記第１映像処理部は、上記第１サブ入力映像を上記第２映像処理部に供給し、
上記第２映像処理部は、上記第１残余入力映像を上記第１映像処理部に供給し、
上記第１映像処理部は、上記第２映像処理部から供給された上記第１残余入力映像を参照して上記第１サブ入力映像を処理し、かつ、
上記第２映像処理部は、上記第１映像処理部から供給された上記第１サブ入力映像を参照して上記第１残余入力映像を処理し、
上記映像処理装置が上記第２全体入力映像を処理する場合には、
上記第１映像処理部は、上記第２サブ入力映像を上記第２映像処理部に供給し、
上記第２映像処理部は、上記第２残余入力映像を上記第１映像処理部に供給し、
上記第１映像処理部は、上記第２映像処理部から供給された上記第２残余入力映像を参照して上記第２サブ入力映像を処理し、かつ、
上記第２映像処理部は、上記第１映像処理部から供給された上記第２サブ入力映像を参照して上記第２残余入力映像を処理することを特徴とする請求項１または２に記載の映像処理装置。
【請求項４】
上記第１映像処理部は、外部からＯＳＤ映像を取得し、
上記第１映像処理部は、上記ＯＳＤ映像を上記第２映像処理部に供給することを特徴とする請求項３に記載の映像処理装置。
【請求項５】
請求項１から４のいずれか１項に記載の映像処理装置と、
表示部と、を備えることを特徴とする表示装置。
【請求項６】
第１映像処理部と第２映像処理部とを備えた映像処理装置であって、
第１全体入力映像が、４つの第１単位入力映像によって構成され、
第２全体入力映像が、４つの第２単位入力映像によって構成され、
上記映像処理装置は、上記第１全体入力映像または上記第２全体入力映像の一方を処理し、
上記第１全体入力映像および上記第２全体入力映像は、以下の（入力態様１）または（入力態様２）のいずれか一方によって、上記第１映像処理部および上記第２映像処理部に入力され、
（入力態様１）：
４つの上記第１単位入力映像が上記第１映像処理部に入力され、かつ、
４つの上記第２単位入力映像が上記第２映像処理部に入力される；
（入力態様２）：
３つの上記第１単位入力映像と１つの上記第２単位入力映像とが上記第１映像処理部に入力され、かつ、
上記第１映像処理部に入力されなかった、１つの上記第１単位入力映像と３つの上記第２単位入力映像とが第２映像処理部に入力される；
上記映像処理装置が上記第１全体入力映像を処理する場合には、
上記第１映像処理部は、（ｉ）当該第１映像処理部に入力された３つ以上の上記第１単位入力映像のうち、所定の１つ以上の上記第１単位入力映像を処理し、かつ、（ｉｉ）当該所定の１つ以上の上記第１単位入力映像を除いた、残りの上記第１単位入力映像を上記第２映像処理部に供給し、
上記第２映像処理部は、（ｉ）上記第１映像処理部に入力されなかった１つの上記第１単位入力映像、および、（ｉｉ）上記第１映像処理部から供給された残りの上記第１単位入力映像、の少なくとも一方を処理し、
上記映像処理装置が上記第２全体入力映像を処理する場合には、
上記第２映像処理部は、（ｉ）当該第２映像処理部に入力された３つ以上の上記第２単位入力映像のうち、所定の１つ以上の上記第２単位入力映像を処理し、かつ、（ｉｉ）当該所定の１つ以上の上記第２単位入力映像を除いた、残りの上記第２単位入力映像を上記第１映像処理部に供給し、
上記第１映像処理部は、（ｉ）上記第２映像処理部に入力されなかった１つの上記第２単位入力映像、および、（ｉｉ）上記第２映像処理部から供給された残りの上記第２単位入力映像、の少なくとも一方を処理することを特徴とする映像処理装置。
【請求項７】
上記第１全体入力映像および上記第２全体入力映像は、上記（入力態様１）によって、上記第１映像処理部および上記第２映像処理部に入力され、
上記映像処理装置が上記第１全体入力映像を処理する場合には、
上記第１映像処理部は、（ｉ）当該第１映像処理部に入力された４つの上記第１単位入力映像のうち、所定の２つの上記第１単位入力映像を処理し、かつ、（ｉｉ）当該所定の２つの上記第１単位入力映像を除いた、残り２つの上記第１単位入力映像を上記第２映像処理部に供給し、
上記第２映像処理部は、上記第１映像処理部から供給された残り２つの上記第１単位入力映像を処理し、
上記映像処理装置が上記第２全体入力映像を処理する場合には、
上記第２映像処理部は、（ｉ）当該第２映像処理部に入力された４つの上記第２単位入力映像のうち、所定の２つの上記第２単位入力映像を処理し、かつ、（ｉｉ）当該所定の２つの上記第２単位入力映像を除いた、残り２つの上記第２単位入力映像を上記第１映像処理部に供給し、
上記第１映像処理部は、上記第２映像処理部から供給された残り２つの上記第２単位入力映像を処理することを特徴とする請求項６に記載の映像処理装置。
【請求項８】
上記第１全体入力映像および上記第２全体入力映像は、上記（入力態様２）によって、上記第１映像処理部および上記第２映像処理部に入力され、
上記映像処理装置が上記第１全体入力映像を処理する場合には、
上記第１映像処理部は、（ｉ）当該第１映像処理部に入力された３つの上記第１単位入力映像のうち、所定の２つの上記第１単位入力映像を処理し、かつ、（ｉｉ）当該所定の２つの上記第１単位入力映像を除いた、残り１つの上記第１単位入力映像を上記第２映像処理部に供給し、
上記第２映像処理部は、（ｉ）上記第１映像処理部に入力されなかった１つの上記第１単位入力映像、および、（ｉｉ）上記第１映像処理部から供給された残り１つの上記第１単位入力映像、の両方を処理し、
上記映像処理装置が上記第２全体入力映像を処理する場合には、
上記第２映像処理部は、（ｉ）当該第２映像処理部に入力された３つの上記第２単位入力映像のうち、所定の２つの上記第２単位入力映像を処理し、かつ、（ｉｉ）当該所定の２つの上記第２単位入力映像を除いた、残り１つの上記第２単位入力映像を上記第２映像処理部に供給し、
上記第１映像処理部は、（ｉ）上記第２映像処理部に入力されなかった１つの上記第２単位入力映像、および、（ｉｉ）上記第２映像処理部から供給された残り１つの上記第２単位入力映像、の両方を処理することを特徴とする請求項６に記載の映像処理装置。
【請求項９】
上記第１全体入力映像および上記第２全体入力映像は、上記（入力態様２）によって、上記第１映像処理部および上記第２映像処理部に入力され、
上記映像処理装置が上記第１全体入力映像を処理する場合には、
上記第１映像処理部は、上記第１映像処理部に入力されなかった１つの上記第１単位入力映像を、上記第２映像処理部から取得し、
上記第１映像処理部は、（ｉ）当該第１映像処理部に初めに入力された３つの上記第１単位入力映像のうち、所定の１つの上記第１単位入力映像を処理し、（ｉｉ）上記第２映像処理部から取得した１つの上記第１単位入力映像を処理し、かつ、（ｉｉｉ）当該所定の１つの上記第１単位入力映像を除いた、残り２つの上記第１単位入力映像を上記第２映像処理部に供給し、
上記第２映像処理部は、上記第１映像処理部から供給された残り２つの上記第１単位入力映像を処理し、
上記映像処理装置が上記第２全体入力映像を処理する場合には、
上記第２映像処理部は、上記第２映像処理部に入力されなかった１つの上記第２単位入力映像を、上記第１映像処理部から取得し、
上記第２映像処理部は、（ｉ）当該第２映像処理部に初めに入力された３つの上記第２単位入力映像のうち、所定の１つの上記第２単位入力映像を処理し、（ｉｉ）上記第１映像処理部から取得した１つの上記第２単位入力映像を処理し、かつ、（ｉｉｉ）当該所定の１つの上記第２単位入力映像を除いた、残り２つの上記第２単位入力映像を上記第１映像処理部に供給し、
上記第１映像処理部は、上記第２映像処理部から供給された残り２つの上記第２単位入力映像を処理することを特徴とする請求項６に記載の映像処理装置。
【請求項１０】
請求項６から９のいずれか１項に記載の映像処理装置と、
表示部と、を備えることを特徴とする表示装置。
【発明の詳細な説明】
【技術分野】
【０００１】
以下の開示は、第１映像処理部と第２映像処理部とを備えた映像処理装置に関する。本出願は、２０１７年１２月６日に出願された日本国特許出願である特願２０１７−２３４２９２号に対して優先権の利益を主張するものであり、それを参照することにより、その内容の全てが本願に含まれる。
【背景技術】
【０００２】
特許文献１には、複数の映像データを効率的に処理することを目的とした映像処理装置が開示されている。一例として、特許文献１の映像処理装置は、２つの映像処理部を備えている。
【先行技術文献】
【特許文献】
【０００３】
【特許文献１】特開２０１６−１８４７７５号公報
【発明の概要】
【発明が解決しようとする課題】
【０００４】
本開示の一態様は、映像処理装置の構成を従来よりも簡略化することを目的とする。
【課題を解決するための手段】
【０００５】
上記の課題を解決するために、本開示の一態様に係る映像処理装置は、第１映像処理部と第２映像処理部とを備えた映像処理装置であって、第１全体入力映像が、第１サブ入力映像と第１残余入力映像とを組み合わせて構成され、第２全体入力映像が、第２サブ入力映像と第２残余入力映像とを組み合わせて構成され、上記第１映像処理部には、上記第１サブ入力映像と上記第２サブ入力映像とが入力され、上記第２映像処理部には、上記第１残余入力映像と上記第２残余入力映像とが入力され、上記映像処理装置は、上記第１全体入力映像または上記第２全体入力映像の一方を処理し、上記映像処理装置が上記第１全体入力映像を処理する場合には、上記第１映像処理部が上記第１サブ入力映像を処理し、かつ、上記第２映像処理部が上記第１残余入力映像を処理し、上記映像処理装置が上記第２全体入力映像を処理する場合には、上記第１映像処理部が上記第２サブ入力映像を処理し、かつ、上記第２映像処理部が上記第２残余入力映像を処理する。【０００６】
上記の課題を解決するために、本開示の一態様に係る映像処理装置は、第１映像処理部と第２映像処理部とを備えた映像処理装置であって、第１全体入力映像が、４つの第１単位入力映像によって構成され、第２全体入力映像が、４つの第２単位入力映像によって構成され、上記映像処理装置は、上記第１全体入力映像または上記第２全体入力映像の一方を処理し、上記第１全体入力映像および上記第２全体入力映像は、以下の（入力態様１）または（入力態様２）のいずれか一方によって、上記第１映像処理部および上記第２映像処理部に入力され、（入力態様１）：４つの上記第１単位入力映像が上記第１映像処理部に入力され、かつ、４つの上記第２単位入力映像が上記第２映像処理部に入力される；（入力態様２）：３つの上記第１単位入力映像と１つの上記第２単位入力映像とが上記第１映像処理部に入力され、かつ、上記第１映像処理部に入力されなかった、１つの上記第１単位入力映像と３つの上記第２単位入力映像とが第２映像処理部に入力される；上記映像処理装置が上記第１全体入力映像を処理する場合には、上記第１映像処理部は、（ｉ）当該第１映像処理部に入力された３つ以上の上記第１単位入力映像のうち、所定の１つ以上の上記第１単位入力映像を処理し、かつ、（ｉｉ）当該所定の１つ以上の上記第１単位入力映像を除いた、残りの上記第１単位入力映像を上記第２映像処理部に供給し、上記第２映像処理部は、（ｉ）上記第１映像処理部に入力されなかった１つの上記第１単位入力映像、および、（ｉｉ）上記第１映像処理部から供給された残りの上記第１単位入力映像、の少なくとも一方を処理し、上記映像処理装置が上記第２全体入力映像を処理する場合には、上記第２映像処理部は、（ｉ）当該第２映像処理部に入力された３つ以上の上記第２単位入力映像のうち、所定の１つ以上の上記第２単位入力映像を処理し、かつ、（ｉｉ）当該所定の１つ以上の上記第２単位入力映像を除いた、残りの上記第２単位入力映像を上記第１映像処理部に供給し、上記第１映像処理部は、（ｉ）上記第２映像処理部に入力されなかった１つの上記第２単位入力映像、および、（ｉｉ）上記第２映像処理部から供給された残りの上記第２単位入力映像、の少なくとも一方を処理する。
【発明の効果】
【０００７】
本発明の一態様に係る映像処理装置によれば、映像処理装置の構成を従来よりも簡略化できる。
【図面の簡単な説明】
【０００８】
【図１】実施形態１の表示装置の要部の構成を示す機能ブロック図である。
【図２】比較例としての表示装置の要部の構成を示す機能ブロック図である。
【図３】（ａ）〜（ｃ）はそれぞれ、図１のバックエンド処理部に入力される映像について説明するための図である。
【図４】（ａ）〜（ｃ）はそれぞれ、図１のバックエンド処理部による処理後の映像の一例について説明するための図である。
【図５】（ａ）および（ｂ）はそれぞれ、図１の第１バックエンド処理部および第２バックエンド処理部の構成をより具体的に示す機能ブロック図である。
【図６】（ａ）〜（ｃ）はそれぞれ、図１のバックエンド処理部による処理後の映像の別の例について説明するための図である。
【図７】実施形態２の表示装置の要部の構成を示す機能ブロック図である。
【図８】実施形態３の表示装置の要部の構成を示す機能ブロック図である。
【図９】図８のバックエンド処理部の動作の一例について説明するための図である。
【図１０】実施形態４の表示装置の要部の構成を示す機能ブロック図である。
【図１１】（ａ）〜（ｃ）はそれぞれ、図１０の表示装置のさらなる効果について説明するための図である。
【図１２】実施形態５の表示装置の要部の構成を示す機能ブロック図である。
【図１３】実施形態６の表示装置の要部の構成を示す機能ブロック図である。
【図１４】実施形態７の表示装置の要部の構成を示す機能ブロック図である。
【図１５】（ａ）〜（ｄ）はそれぞれ、図１４のバックエンド処理部に入力される映像について説明するための図である。
【図１６】実施形態７の一変形例に係る表示装置の要部の構成を示す機能ブロック図である。
【図１７】（ａ）および（ｂ）はそれぞれ、図１６のバックエンド処理部に入力される映像について説明するための図である。
【図１８】実施形態８の表示装置の要部の構成を示す機能ブロック図である。
【図１９】（ａ）および（ｂ）はそれぞれ、図１８のバックエンド処理部に入力される映像について説明するための図である。
【発明を実施するための形態】
【０００９】
〔実施形態１〕
以下、実施形態１の表示装置１（映像処理装置）について述べる。説明の便宜上、以降の各実施形態では、実施形態１にて説明した部材と同じ機能を有する部材については、同じ符号を付記し、その説明を繰り返さない。
【００１０】
（表示装置１）
図１は、表示装置１の要部の構成を示す機能ブロック図である。表示装置１は、フロントエンド処理部１１、バックエンド処理部１２、ＴＣＯＮ（Timing Controller，タイミングコントローラ）１３、表示部１４、および制御部８０を備える。バックエンド処理部１２は、第１バックエンド処理部１２０Ａ（第１映像処理部）および第２バックエンド処理部１２０Ｂ（第２映像処理部）を備える。また、表示装置１は、ＤＲＡＭ（Dynamic Random Access Memory）１９９Ａ・１９９Ｂを備える（後述の図５を参照）。
【００１１】
「映像」は、「動画像」と称されてもよい。本明細書では、「映像信号」を、単に「映像」とも称する。また、「映像処理装置」とは、表示装置１のうち、表示部１４を除いた各部を総称的に意味する。バックエンド処理部１２は、映像処理装置の要部である。
【００１２】
図２は、表示装置１の比較例としての表示装置１ｒの要部の構成を示す機能ブロック図である。以下に述べるように、表示装置１ｒは、スイッチャー１９ｒを有しているという点において、表示装置１と少なくとも相違する。表示装置１によれば、表示装置１ｒとは異なり、スイッチャー１９ｒを省略できる。
【００１３】
実施形態１では、表示部１４に、１つの８Ｋ４Ｋ映像（８Ｋ４Ｋの解像度を有する映像）を表示させる場合を例示する。「８Ｋ４Ｋ」とは、「水平画素数７６８０×垂直画素数４３２０」の解像度を意味する。「８Ｋ４Ｋ」は、単に「８Ｋ」とも称される。
【００１４】
これに対して、「４Ｋ２Ｋ」とは、「水平画素数３８４０×垂直画素数２１６０」の解像度を意味する。１つの８Ｋ４Ｋ映像は、４つ（水平方向に２つ、垂直方向に２つ）の４Ｋ２Ｋ映像（４Ｋ２Ｋの解像度を有する映像）から成る映像として表現できる（例えば後述の図３の（ａ）を参照）。つまり、４つの４Ｋ２Ｋ映像を組み合わせることにより、１つの８Ｋ４Ｋ映像を表現できる。「４Ｋ２Ｋ」は、単に「４Ｋ」とも称される。
【００１５】
また、「４Ｋ４Ｋ」とは、「水平画素数３８４０×垂直画素数３８４０」の解像度を意味する。２つの４Ｋ２Ｋ映像を垂直方向に並べることで、１つの４Ｋ４Ｋ映像（４Ｋ４Ｋの解像度を有する映像）を構成できる（例えば図３の（ｂ）を参照）。また、２つの４Ｋ４Ｋ映像を水平方向に並べることで、１つの８Ｋ４Ｋ映像を構成できる（例えば図３の（ａ）を参照）。
【００１６】
実施形態１では、表示部１４が表示する映像を、表示映像と称する。実施形態１では、表示映像は、フレームレート１２０Ｈｚ（１２０ｆｐｓ（frames per second））の８Ｋ映像であるとする。図１の例では、ＳＩＧ６（後述）が表示映像である。図１では、説明の便宜上、フレームレート６０Ｈｚの４Ｋ映像のデータ帯域を、１本の矢印によって示している。従って、ＳＩＧ６は、８本の矢印によって示されている。
【００１７】
実施形態１では、表示部１４は、８Ｋ映像を表示可能な８Ｋディスプレイ（解像度８Ｋのディスプレイ）である。表示部１４の表示面（表示エリア，表示画面）は、４つ（水平方向に２つ、垂直方向に２つ）の部分表示エリアに区切られている。４つの部分表示エリアはそれぞれ、４Ｋの解像度を有する。４つの部分表示エリアはそれぞれ、フレームレート１２０Ｈｚの４Ｋ映像（例：後述のＩＭＧＡｆ〜ＩＭＧＤｆ）を表示できる。
【００１８】
図１では、フレームレート１２０Ｈｚの４Ｋ映像は、２本の矢印によって示されている。表示映像（８本の矢印）は、フレームレート１２０Ｈｚの４Ｋ映像（２本の矢印）を４つ組み合わせることにより表現される。
【００１９】
制御部８０は、表示装置１の各部を統括的に制御する。フロントエンド処理部１１は、外部から４Ｋ映像ＳＩＧｚを取得する。また、フロントエンド処理部１１は、ＯＳＤ（On Screen Display）映像ＳＩＧＯＳＤを生成する。ＯＳＤ映像は、例えば電子番組表を示す映像であってよい。
【００２０】
フロントエンド処理部１１は、ＳＩＧｚおよびＳＩＧＯＳＤを、第１バックエンド処理部１２０Ａに供給する。ＯＳＤ映像は、ＳＩＧ４（後述）に重ね合わせられてよい。但し、実施形態１では、ＯＳＤ映像の重ね合わせが行われない場合を例示する。
【００２１】
バックエンド処理部１２は、複数の入力映像を処理し、複数の処理後の映像をＴＣＯＮ１３に出力する。バックエンド処理部１２の処理としては、フレームレート変換、拡大処理、およびローカルディミング処理等が挙げられる。実施形態１のバックエンド処理部１２は、フレームレート６０Ｈｚの１つの８Ｋ映像を、フレームレート１２０Ｈｚの１つの８Ｋ映像に変換する。つまり、バックエンド処理部１２は、１つの８Ｋ映像のフレームレートを２倍に増加させる。
【００２２】
バックエンド処理部１２に入力される１つの８Ｋ映像は、４つの４Ｋ映像の組み合わせによって表現される。このため、バックエンド処理部１２には、（ｉ）ある１つの８Ｋ映像を構成する４つの４Ｋ映像と、（ｉｉ）別の１つの８Ｋ映像を構成する４つの４Ｋ映像とが入力される。以下、バックエンド処理部１２に入力される２つの８Ｋ映像をそれぞれ、ＳＩＧ１およびＳＩＧ２と称する。バックエンド処理部１２は、１つの８Ｋ映像（ＳＩＧ１またはＳＩＧ２の一方）を構成する４つの４Ｋ映像のそれぞれのフレームレートを２倍に増加させる。
【００２３】
実施形態１では、バックエンド処理部１２は、外部からＳＩＧ１およびＳＩＧ２を取得する。そして、バックエンド処理部１２は、ＳＩＧ１またはＳＩＧ２の一方を処理する。実施形態１では、バックエンド処理部１２がＳＩＧ１を処理する場合を例示する。以下、ＳＩＧ１によって表現される８Ｋ映像を、第１全体入力映像と称する。また、ＳＩＧ２によって表現される８Ｋ映像を、第２全体入力映像と称する。
【００２４】
第１バックエンド処理部１２０Ａおよび第２バックエンド処理部１２０Ｂはそれぞれ、フレームレート６０Ｈｚの４Ｋ映像を２つ処理する能力を有している。従って、バックエンド処理部１２は、第１バックエンド処理部１２０Ａおよび第２バックエンド処理部１２０Ｂを有することにより、フレームレート６０Ｈｚの８Ｋ映像を１つ処理できる。すなわち、バックエンド処理部１２は、ＳＩＧ１またはＳＩＧ２の一方を処理できる。
【００２５】
図３は、バックエンド処理部１２に入力される映像について説明するための図である。図３の（ａ）に示されるように、ＳＩＧ１は、ＩＭＧＡ〜ＩＭＧＤ（フレームレート６０Ｈｚの４つの４Ｋ映像）の組み合わせによって表現されている。図３では、簡単のために、ＩＭＧＡ〜ＩＭＧＤのそれぞれによって表される映像が、「Ａ」〜「Ｄ」という文字によって示されている。なお、図３の（ａ）に示されているＳＩＧ３については、後述する。ＩＭＧＡ〜ＩＭＧＤのそれぞれを、第１部分入力映像（第１単位入力映像）とも称する。第１部分入力映像は、第１全体入力映像を構成する基本単位である。
【００２６】
図３の（ｂ）に示されるように、ＩＭＧＡおよびＩＭＧＣ（２つの４Ｋ映像）を垂直方向に並べた（組み合わせた）映像を、ＳＩＧ１ａと称する。ＳＩＧ１ａは、ＳＩＧ１の一部（半分）である。より具体的には、ＳＩＧ１ａは、第１全体入力映像の左半分である。以下、ＳＩＧ１ａを、第１サブ入力映像と称する。第１サブ入力映像は、４Ｋ４Ｋ映像である。同様に、以下に述べるＳＩＧ１ｂ（第１残余入力映像）も、４Ｋ４Ｋ映像である。
【００２７】
これに対して、図３の（ｃ）に示されるように、ＩＭＧＢおよびＩＭＧＤ（２つの４Ｋ映像）を垂直方向に並べた（組み合わせた）映像を、ＳＩＧ１ｂと称する。ＳＩＧ１ｂは、ＳＩＧ１からＳＩＧ１ａを除いた部分（残余部，残りの半分）である。より具体的には、ＳＩＧ１ｂは、第１全体入力映像の右半分である。以下、ＳＩＧ１ｂを、第１残余入力映像と称する。第１残余入力映像は、第１全体入力映像から第１サブ入力映像を取り除いた映像である。このように、ＳＩＧ１は、ＳＩＧ１ａとＳＩＧ１ｂとの組み合わせとしても表現できる（図３の（ａ）も参照）。
【００２８】
また、図３の（ｄ）に示されるように、ＳＩＧ２は、ＩＭＧＥ〜ＩＭＧＨ（フレームレート６０Ｈｚの４つの４Ｋ映像）の組み合わせによって表現されている。図２では、簡単のために、ＩＭＧＥ〜ＩＭＧＨのそれぞれによって表される映像が、「Ｅ」〜「Ｈ」という文字によって示されている。ＩＭＧＥ〜ＩＭＧＨのそれぞれを、第２部分入力映像（第２単位入力映像）とも称する。第２部分入力映像は、第２全体入力映像を構成する基本単位である。
【００２９】
図３の（ｅ）に示されるように、ＩＭＧＥおよびＩＭＧＧ（２つの４Ｋ映像）を垂直方向に並べた（組み合わせた）映像を、ＳＩＧ２ａと称する。ＳＩＧ２ａは、ＳＩＧ２の一部（半分）である。より具体的には、ＳＩＧ２ａは、第２全体入力映像の左半分である。以下、ＳＩＧ２ａを、第２サブ入力映像と称する。第２サブ入力映像は、４Ｋ４Ｋ映像である。同様に、以下に述べるＳＩＧ２ｂ（第２残余入力映像）も、４Ｋ４Ｋ映像である。
【００３０】
これに対して、図３の（ｆ）に示されるように、ＩＭＧＦおよびＩＭＧＨ（２つの４Ｋ映像）を垂直方向に並べた（組み合わせた映像）を、ＳＩＧ２ｂと称する。ＳＩＧ２ｂは、ＳＩＧ２からＳＩＧ２ａを除いた部分（残余部）である。より具体的には、ＳＩＧ２ｂは、第２全体入力映像の右半分である。以下、ＳＩＧ２ｂを、第２残余入力映像と称する。第２残余入力映像は、第２全体入力映像から第２サブ入力映像を取り除いた映像である。このように、ＳＩＧ２は、ＳＩＧ２ａとＳＩＧ２ｂとの組み合わせとしても表現できる（図３の（ｄ）も参照）。
【００３１】
図１に示されるように、第１バックエンド処理部１２０Ａには、ＳＩＧ１ａ（第１サブ入力映像）およびＳＩＧ２ａ（第２サブ入力映像）が入力される。そして、第１バックエンド処理部１２０Ａは、ＳＩＧ１ａまたはＳＩＧ２ａの一方を処理する。以下では、第１バックエンド処理部１２０ＡがＳＩＧ１ａを処理する場合を主に例示する。第１バックエンド処理部１２０Ａは、ＳＩＧ１ａを処理し、処理後の映像としてＳＩＧ４を出力する。
【００３２】
これに対して、第２バックエンド処理部１２０Ｂには、ＳＩＧ１ｂ（第１残余入力映像）およびＳＩＧ２ｂ（第２残余入力映像）が入力される。そして、第２バックエンド処理部１２０Ｂは、ＳＩＧ１ａまたはＳＩＧ２ｂの一方を処理する。以下では、第２バックエンド処理部１２０ＢがＳＩＧ１ｂを処理する場合を主に例示する。第２バックエンド処理部１２０Ｂは、ＳＩＧ２ａを処理し、処理後の映像としてＳＩＧ５を出力する。
【００３３】
図４は、バックエンド処理部１２による処理後の映像の一例について説明するための図である。図４の（ａ）には、ＳＩＧ４の一例が示されている。ＳＩＧ４は、ＳＩＧ１ａのフレームレート（６０Ｈｚ）が、１２０Ｈｚへと変換された映像である。従って、図１では、ＳＩＧ４は、４本の矢印によって示されている。第１バックエンド処理部１２０Ａは、ＳＩＧ４をＴＣＯＮ１３に供給する。
【００３４】
なお、図４の（ａ）に示されるように、ＳＩＧ４は、ＩＭＧＡｆとＩＭＧＣｆとの組み合わせによって表現される。ＩＭＧＡｆは、ＩＭＧＡのフレームレート（６０Ｈｚ）が、１２０Ｈｚへと変換された映像である。また、ＩＭＧＣｆは、ＩＭＧＣのフレームレート（６０Ｈｚ）が、１２０Ｈｚへと変換された映像である。
【００３５】
図４の（ｂ）には、ＳＩＧ５の一例が示されている。ＳＩＧ５は、ＳＩＧ１ｂのフレームレート（６０Ｈｚ）が、１２０Ｈｚに変換された映像である。従って、図１では、ＳＩＧ５も、ＳＩＧ４と同様に、４本の矢印によって示されている。第２バックエンド処理部１２０Ｂは、ＳＩＧ５をＴＣＯＮ１３に供給する。
【００３６】
なお、図４の（ｂ）に示されるように、ＳＩＧ５は、ＩＭＧＢｆとＩＭＧＤｆとの組み合わせによって表現される。ＩＭＧＢｆは、ＩＭＧＢのフレームレート（６０Ｈｚ）が、１２０Ｈｚへと変換された映像である。また、ＩＭＧＤｆは、ＩＭＧＤのフレームレート（６０Ｈｚ）が、１２０Ｈｚへと変換された映像である。
【００３７】
ＴＣＯＮ１３は、（ｉ）第１バックエンド処理部１２０ＡからＳＩＧ４を、（ｉｉ）第２バックエンド処理部１２０ＡからＳＩＧ５を、それぞれ取得する。ＴＣＯＮ１３は、表示部１４における表示に適するように、ＳＩＧ４およびＳＩＧ５のフォーマットを変換する。また、ＴＣＯＮ１３は、表示部１４における表示に適するように、ＳＩＧ４およびＳＩＧ５の並び替えを行う。ＴＣＯＮ１３は、ＳＩＧ４およびＳＩＧ５を組み合わせた信号を、ＳＩＧ６として表示部１４に供給する。
【００３８】
図４の（ｃ）には、ＳＩＧ６の一例が示されている。図４の（ｃ）に示されるように、ＳＩＧ６は、ＩＭＧＡｆ〜ＩＭＧＤｆ（フレームレート１２０Ｈｚの４つの４Ｋ映像）の組み合わせとして表現されている。つまり、ＳＩＧ６は、ＳＩＧ５とＳＩＧ６との組み合わせとして表現されている。このことから、ＳＩＧ６（表示映像）は、全体出力映像と称されてもよい。実施形態１では、全体出力映像は、第１全体入力映像（８Ｋ映像）のフレームレート（６０Ｈｚ）が、１２０Ｈｚへと変換された映像である。
【００３９】
（第１バックエンド処理部１２０Ａおよび第２バックエンド処理部１２０Ｂ）
図５は、第１バックエンド処理部１２０Ａおよび第２バックエンド処理部１２０Ｂの構成をより具体的に示す機能ブロック図である。図５の（ａ）は、第１バックエンド処理部１２０Ａの構成を示す。また、図５の（ｂ）は、第２バックエンド処理部１２０Ｂの構成を示す。第１バックエンド処理部１２０Ａおよび第２バックエンド処理部１２０Ｂの構成は同様であるので、以下では、図５の（ａ）を参照し、第１バックエンド処理部１２０Ａについて主に述べる。
【００４０】
第１バックエンド処理部１２０Ａは、入力ＩＦ（Interface）部１２１Ａ、フォーマット変換部１２２Ａ、同期回路部１２３Ａ、映像処理部１２４Ａ、およびＤＲＡＭコントローラ１２７Ａを備える。入力ＩＦ部１２１Ａは、４つの入力ＩＦ部１２１Ａ１〜１２１Ａ４を総称的に示す。また、フォーマット変換部１２２Ａは、４つのフォーマット変換部１２２Ａ１〜１２２Ａ４を総称的に示す。
【００４１】
ＤＲＡＭ１９９Ａは、第１バックエンド処理部１２０Ａが処理を行っている途中の映像を一時的に記憶する。ＤＲＡＭ１９９Ａは、映像の各フレームを記憶するフレームメモリとして機能する。ＤＲＡＭ１９９Ａとしては、公知のＤＤＲ（Double Data Rate）メモリが用いられる。ＤＲＡＭコントローラ１２７Ａは、ＤＲＡＭ１９９Ａの動作（特に、映像の各フレームの読み込みおよび書き出し）を制御する。
【００４２】
入力ＩＦ部１２１Ａは、ＳＩＧ１ａおよびＳＩＧ２ａを取得する。具体的には、入力ＩＦ部１２１Ａ１はＩＭＧＡを、入力ＩＦ部１２１Ａ２はＩＭＧＣを、それぞれ取得する。このように、入力ＩＦ部１２１Ａ１・入力ＩＦ部１２１Ａ２は、ＳＩＧ１ａを取得する。
【００４３】
これに対して、入力ＩＦ部１２１Ａ３はＩＭＧＥを、入力ＩＦ部１２１Ａ４はＩＭＧＧを、それぞれ取得する。このように、入力ＩＦ部１２１Ａ３・入力ＩＦ部１２１Ａ４は、ＳＩＧ２ａを取得する。
【００４４】
フォーマット変換部１２２Ａは、入力ＩＦ部１２１ＡからＳＩＧ１ａおよびＳＩＧ２ａを取得する。フォーマット変換部１２２Ａは、以下に述べる同期化処理および映像処理に適するように、ＳＩＧ１ａおよびＳＩＧ２ａのフォーマットを変換する。具体的には、フォーマット変換部１２２Ａ１〜１２２Ａ４はそれぞれ、ＩＭＧＡ、ＩＭＧＣ、ＩＭＥ、およびＩＭＧＧのフォーマットを変換する。
【００４５】
フォーマット変換部１２２Ａは、フォーマット変換後のＳＩＧ１ａまたはＳＩＧ２ａのうちの一方を、同期回路部１２３Ａに供給する。図５の例では、フォーマット変換部１２２Ａは、フォーマット変換後のＳＩＧ１ａ（ＩＭＧＡおよびＩＭＧＣ）を同期回路部１２３Ａに供給する。フォーマット変換部１２２Ａは、同期回路部１２３Ａに供給する映像（つまり、第２バックエンド処理部１２０Ｂが処理の対象とする映像）を選択するための選択部（不図示）を有していてよい。
【００４６】
同期回路部１２３Ａは、フォーマット変換部１２２ＡからＳＩＧ１ａを取得する。同期回路部１２３Ａは、ＩＭＧＡおよびＩＭＧＣのそれぞれに対して、同期化処理を施す。「同期化処理」とは、後段の映像処理部１２４Ａにおける映像処理を可能とするために、ＩＭＧＡおよびＩＭＧＣのそれぞれのタイミングおよびデータの並び方を調整する処理を意味する。
【００４７】
同期回路部１２３Ａは、ＤＲＡＭコントローラ１２７Ａを介して、ＤＲＡＭ１９９Ａ（例：ＤＤＲメモリ）にアクセスする。同期回路部１２３Ａは、ＤＲＡＭ１９９Ａをフレームメモリとして使用し、同期化処理を行う。
【００４８】
なお、同期回路部１２３Ａは、ＩＭＧＡおよびＩＭＧＣのそれぞれに対して、スケール（解像度）の変換をさらに施してもよい。また、同期回路部１２３Ａは、ＩＭＧＡおよびＩＭＧＣのそれぞれに対して、所定の映像を重ね合わせる処理をさらに施してもよい。
【００４９】
映像処理部１２４Ａは、同期化処理が施された後のＩＭＧＡおよびＩＭＧＣに対して、同時に（並列的に）映像処理を施す。映像処理部１２４Ａにおける映像処理は、ＩＭＧＡおよびＩＭＧＣの画質を向上させるための公知の処理である。例えば、映像処理部１２４Ａは、ＩＭＧＡおよびＩＭＧＣに対して公知のフィルタ処理を施す。
【００５０】
さらに、映像処理部１２４Ａは、映像処理としてフレームレートの変換（例：アップコンバート）を行うこともできる。映像処理部１２４Ａは、フィルタ処理が施された後のＩＭＧＡおよびＩＭＧＣのフレームレートを変換する。一例として、映像処理部１２４Ａは、ＩＭＧＡおよびＩＭＧＣのそれぞれのフレームレートを、６０Ｈｚから１２０Ｈｚへと増加させる。映像処理部１２４Ａは、例えばデジャダー処理を行ってもよい。
【００５１】
映像処理部１２４Ａは、ＤＲＡＭコントローラ１２７Ａを介して、ＤＲＡＭ１９９Ａ（例：ＤＤＲメモリ）にアクセスする。映像処理部１２４Ａは、ＤＲＡＭ１９９Ａをフレームメモリとして使用し、ＩＭＧＡおよびＩＭＧＣのそれぞれのフレームレートを変換する。
【００５２】
映像処理部１２４Ａは、ＩＭＧＡのフレームレートを変換した結果として、ＩＭＧＡ’を生成する。ＩＭＧＡ’は、ＩＭＧＡの補間フレーム（内挿フレーム）から成る映像である。ＩＭＧＡ’のフレームレートは、ＩＭＧＡのフレームレート（６０Ｈｚ）と等しい。このことは、以下に述べるＩＭＧＢ’〜ＩＭＧＤ’についても同様である。上述のＩＭＧＡｆは、ＩＭＧＡの各フレーム間にＩＭＧＡ’の各フレームが挿入された映像である。
【００５３】
同様に、映像処理部１２４Ａは、ＩＭＧＣのフレームレートを変換した結果として、ＩＭＧＣ’を生成する。ＩＭＧＣ’は、ＩＭＧＣの補間フレームから成る映像である。上述のＩＭＧＣｆは、ＩＭＧＣの各フレーム間にＩＭＧＣ’の各フレームが挿入された映像である。
【００５４】
続いて、映像処理部１２４Ａは、ＩＭＧＡ、ＩＭＧＡ’、ＩＭＧＣ、およびＩＭＧＣ’のそれぞれに対して、表示部１４における表示に適するように補正（映像処理）を施す。映像処理部１２４Ａは、補正後のＩＭＧＡおよびＩＭＧＡ’を、ＩＭＧＡｆとしてＴＣＯＮ１３に出力する。また、映像処理部１２４Ａは、補正後のＩＭＧＸおよびＩＭＧＣ’を、ＩＭＧＣｆとしてＴＣＯＮ１３に出力する。つまり、映像処理部１２４Ａは、ＳＩＧ４を、ＴＣＯＮ１３に出力する。このように、第１バックエンド処理部１２０Ａは、ＳＩＧ１ａ（第１サブ入力映像）を処理し、ＳＩＧ４を出力する。
【００５５】
図５の（ｂ）に示されるように、第２バックエンド処理部１２０Ｂは、入力ＩＦ部１２１Ｂ、フォーマット変換部１２２Ｂ、同期回路部１２３Ｂ、映像処理部１２４Ｂ、およびＤＲＡＭコントローラ１２７Ｂを備える。入力ＩＦ部１２１Ｂは、４つの入力ＩＦ部１２１Ｂ１〜１２１Ｂ４を総称的に示す。また、フォーマット変換部１２２Ｂは、４つのフォーマット変換部１２２Ｂ１〜１２２Ｂ４を総称的に示す。
【００５６】
第２バックエンド処理部１２０Ｂの各部の動作は、第１バックエンド処理部１２０Ａの各部の動作と同様であるので、説明を省略する。第２バックエンド処理部１２０Ｂには、ＳＩＧ１ｂおよびＳＩＧ２ｂが入力される。第２バックエンド処理部１２０Ｂは、ＳＩＧ１ｂまたはＳＩＧ２ｂの一方を処理する。
【００５７】
図５の例では、第２バックエンド処理部１２０Ｂは、ＳＩＧ１ｂ（第１残余入力映像）を処理する。第２バックエンド処理部１２０Ｂは、ＳＩＧ１ｂを処理し、ＩＭＧＢｆおよびＩＭＧＤｆをＴＣＯＮ１３に出力する。つまり、第２バックエンド処理部１２０Ｂは、ＳＩＧ５を出力する。
【００５８】
図４の（ｂ）において、ＩＭＧＢ’は、ＩＭＧＢの補間フレームから成る映像である。上述のＩＭＧＢｆは、ＩＭＧＣの各フレーム間にＩＭＧＣ’の各フレームが挿入された映像である。また、ＩＭＧＤ’は、ＩＭＧＤの補間フレームから成る映像である。上述のＩＭＧＤｆは、ＩＭＧＤの各フレームにＩＭＧＤ’の各フレームが挿入された映像である。
【００５９】
（比較例）
図２を参照して、表示装置１ｒについて述べる。表示装置１ｒは、従来の表示装置の一例である。表示装置１ｒのバックエンド処理部１２を、バックエンド処理部１２ｒと称する。バックエンド処理部１２ｒは、第１バックエンド処理部１２０Ａｒおよび第２バックエンド処理部１２０Ｂｒを備える。
【００６０】
表示装置１ｒでは、第１バックエンド処理部１２０Ａｒは、映像処理のためのマスターチップとして構成されている。これに対して、第２バックエンド処理部１２０Ｂｒは、映像処理のためのスレーブチップとして構成されている。
【００６１】
第１バックエンド処理部１２０Ａｒおよび第２バックエンド処理部１２Ｂｒはそれぞれ、第１バックエンド処理部１２０Ａおよび第２バックエンド処理部１２Ｂと同様に、フレームレート６０Ｈｚの４Ｋ映像を２つ処理する能力を有している。従って、バックエンド処理部１２ｒは、バックエンド処理部１２ｒと同様に、フレームレート６０Ｈｚの８Ｋ映像を１つ処理できる。すなわち、バックエンド処理部１２ｒは、ＳＩＧ１またはＳＩＧ２の一方を処理できる。
【００６２】
但し、バックエンド処理部１２ｒは、ＳＩＧ１およびＳＩＧ２の両方を、同時に処理できない。この点を踏まえ、表示装置１ｒでは、ＳＩＧ１またはＳＩＧ２の一方が、バックエンド処理部１２ｒに入力される。このような入力を行うために、表示装置１ｒでは、スイッチャー１９ｒが設けられている。
【００６３】
スイッチャー１９ｒには、表示装置１の外部から、ＳＩＧ１およびＳＩＧ２の両方が入力される。スイッチャー１９ｒは、ＳＩＧ１またはＳＩＧ２の一方を、第１バックエンド処理部１２０Ａｒへの入力対象として選択する。スイッチャー１９ｒは、選択した信号をＳＩＧ３として、第１バックエンド処理部１２０Ａｒに供給する。図２の例では、スイッチャー１９ｒは、ＳＩＧ１を選択する。このため、図３の（ａ）に示されるように、ＳＩＧ３は、ＳＩＧ１と同一の信号である。
【００６４】
第１バックエンド処理部１２０Ａｒは、ＳＩＧ３（ＳＩＧ１）をＳＩＧ１ａとＳＩＧ１ｂとに分割する。１バックエンド処理部１２０Ａｒは、ＳＩＧ１ａを処理し、ＳＩＧ４を生成する。第１バックエンド処理部１２０Ａｒは、ＳＩＧ４をＴＣＯＮ１３に供給する。
【００６５】
また、第１バックエンド処理部１２０Ａｒは、ＳＩＧ３のうち、第１バックエンド処理部１２０Ａｒにおいて処理できなかった部分（ＳＩＧ３の残余部）を、第２バックエンド処理部１２０Ｂに供給する。つまり、第１バックエンド処理部１２０Ａｒは、ＳＩＧ１ｂを、第２バックエンド処理部１２０Ｂに供給する。
【００６６】
第２バックエンド処理部１２０Ｂｒは、ＳＩＧ１ｂを処理し、ＳＩＧ５を生成する。第２バックエンド処理部１２０Ｂｒは、ＳＩＧ５をＴＣＯＮ１３に供給する。その結果、表示部１４において、表示装置１と同様に、ＳＩＧ６を表示できる。
【００６７】
（効果）
表示装置１ｒ（従来の表示装置）では、ＳＩＧ１およびＳＩＧ２（２つの８Ｋ映像）を表示装置１ｒに同時に入力する場合には、スイッチャー１９ｒを設ける必要があった。バックエンド処理部１２ｒは、１つの８Ｋ映像（例：ＳＩＧ１）のみを処理する能力しか有していない（ＳＩＧ１およびＳＩＧ２を同時に処理する能力を有していない）ためである。
【００６８】
表示装置１ｒの第１バックエンド処理部１２０Ａｒには、例えばＳＩＧ１（ＳＩＧ３）が入力される。この場合、ＳＩＧ１は、第１バックエンド処理部１２０Ａｒにおいて、ＳＩＧ１ａおよびＳＩＧ１ｂに分割される。そして、ＳＩＧ１ａは第１バックエンド処理部１２０Ａｒにおいて処理され、ＳＩＧ１ｂは第２バックエンド処理部１２０Ｂｒにおいて処理される。
【００６９】
これに対して、表示装置１では、（ｉ）ＳＩＧ１がＳＩＧ１ａおよびＳＩＧ１ｂに、（ｉｉ）ＳＩＧ２がＳＩＧ２ａおよびＳＩＧ２ｂに、予め分割されている。例えば、ＳＩＧ１およびＳＩＧ２は、８Ｋ信号源９９（後述の実施形態２及び図７を参照）から、表示装置１に供給されてよい。ＳＩＧ１およびＳＩＧ２の分割は、８Ｋ信号源９９において予め行われてよい。
【００７０】
そして、バックエンド処理部１２には、ＳＩＧ１およびＳＩＧ２が、分割された形で入力される。具体的には、第１バックエンド処理部１２０Ａには、ＳＩＧ１ａ（第１サブ入力映像）およびＳＩＧ２ａ（第２サブ入力映像）が入力される。また、第２バックエンド処理部１２０Ｂには、ＳＩＧ１ｂ（第１残余入力映像）およびＳＩＧ２ｂ（第２残余入力映像）が入力される。
【００７１】
このように、ＳＩＧ１およびＳＩＧ２を、予め分割された形で表示装置１（バックエンド処理部１２）に供給することにより、スイッチャー１９ｒを省略した場合にも、ＳＩＧ１またはＳＩＧ２の一方（例：ＳＩＧ１）を、バックエンド処理部１２において処理できる。
【００７２】
例えば、バックエンド処理部１２がＳＩＧ１を処理する場合、第１バックエンド処理部１２０Ａは、ＳＩＧ１ａ（第１サブ入力映像）を処理し、ＳＩＧ４を出力する。また、第２バックエンド処理部１２０Ｂは、ＳＩＧ１ｂ（第１残余入力映像）を処理し、ＳＩＧ５を出力する。このように、バックエンド処理部１２（第１バックエンド処理部１２０Ａおよび第２バックエンド処理部１２０Ｂのそれぞれ）によって、ＳＩＧ１（ＳＩＧ１ａおよびＳＩＧ１ｂのそれぞれ）を処理できる。
【００７３】
表示装置１によれば、スイッチャー１９ｒを省略できるので、表示装置（映像処理装置）の構成を従来よりも簡略化できる。また、従来に比べて、表示装置のコストを低減することもできる。
【００７４】
（バックエンド処理部１２がＳＩＧ２を処理する場合）
上記の例では、バックエンド処理部１２において、ＳＩＧ１（第１全体入力映像）が処理される場合を例示した。但し、バックエンド処理部１２において、ＳＩＧ２（第２全体入力映像）が処理されてもよい。
【００７５】
図６は、バックエンド処理部１２による処理後の映像の別の例について説明するための図である。バックエンド処理部１２がＳＩＧ２を処理する場合、第１バックエンド処理部１２０Ａは、ＳＩＧ２ａ（第２サブ入力映像）を処理し、ＳＩＧ４を出力する。
【００７６】
図６の（ａ）に示されるように、ＳＩＧ４は、ＩＭＧＥｆとＩＭＧＧｆとの組み合わせによって表現される。ＩＭＧＥｆは、ＩＭＧＥのフレームレート（６０Ｈｚ）が、１２０Ｈｚへと変換された映像である。また、ＩＭＧＧｆは、ＩＭＧＧのフレームレート（６０Ｈｚ）が、１２０Ｈｚへと変換された映像である。
【００７７】
また、図６の（ｂ）に示されるように、第２バックエンド処理部１２０Ｂは、ＳＩＧ２ｂ（第２残余入力映像）を処理し、ＳＩＧ５を出力する。ＳＩＧ５は、ＩＭＧＦｆとＩＭＧＨｆとの組み合わせによって表現される。ＩＭＧＦｆは、ＩＭＧＦのフレームレート（６０Ｈｚ）が、１２０Ｈｚへと変換された映像である。また、ＩＭＧＨｆは、ＩＭＧＨのフレームレート（６０Ｈｚ）が、１２０Ｈｚへと変換された映像である。
【００７８】
そして、ＴＣＯＮ１３は、ＳＩＧ４およびＳＩＧ５を組み合わせた信号を、ＳＩＧ６として表示部１４に供給する。図６の（ｃ）に示されるように、ＳＩＧ６は、ＩＭＧＥｆ〜ＩＭＧＨｆの組み合わせとして表現されている。つまり、ＳＩＧ６（全体出力映像）は、ＳＩＧ４とＳＩＧ５との組み合わせとして表現されている。このように、全体出力映像として、第２全体入力映像（８Ｋ映像）のフレームレート（６０Ｈｚ）が、１２０Ｈｚへと変換された映像を得ることができる。
【００７９】
以上のように、バックエンド処理部１２（第１バックエンド処理部１２０Ａおよび第２バックエンド処理部１２０Ｂのそれぞれ）によって、ＳＩＧ２（ＳＩＧ２ａおよびＳＩＧ２ｂのそれぞれ）を処理することもできる。
【００８０】
〔変形例〕
実施形態１では、ＳＩＧ１およびＳＩＧ２がそれぞれ８Ｋ映像である場合を例示した。但し、ＳＩＧ１およびＳＩＧ２のそれぞれの解像度は、８Ｋに限定されない。同様に、ＩＭＧＡ〜ＩＭＧＤおよびＩＭＧＥ〜ＩＭＧＦのそれぞれの解像度は、４Ｋに限定されない。従って、ＳＩＧ１ａ〜ＳＩＧ２ｂのそれぞれは、必ずしも４Ｋ４Ｋ映像に限定されない。
【００８１】
〔実施形態２〕
図７は、表示装置２（映像処理装置）の要部の構成を示す機能ブロック図である。表示装置２は、表示装置１に対して、デコード部１５（復号部）を付加した構成である。また、図７では、表示装置２の外部に設けられた８Ｋ信号源９９が図示されている。
【００８２】
８Ｋ信号源９９は、１つ以上の８Ｋ映像（８Ｋ映像信号）を表示装置２に供給する。実施形態２では、８Ｋ信号源９９は、ＳＩＧ２をバックエンド処理部１２に供給する。より具体的には、８Ｋ信号源９９は、ＳＩＧ２をＳＩＧ２ａおよびＳＩＧ２ｂに分割する。そして、８Ｋ信号源９９は、（ｉ）ＳＩＧ２ａを第１バックエンド処理部１２０Ａに、（ｉｉ）ＳＩＧ２ｂを第２バックエンド処理部１２０Ｂに、それぞれ供給する。
【００８３】
デコード部１５は、表示装置２の外部から供給された圧縮映像信号ＳＩＧｙを取得する。ＳＩＧｙは、ＳＩＧ１が圧縮された信号である。一例として、ＳＩＧｙは、高度ＢＳ放送の事業者によって、放送波として送信される。
【００８４】
デコード部１５は、圧縮映像信号ＳＩＧｙを復号し、ＳＩＧ１を取得する。実施形態２では、デコード部１５は、ＳＩＧ１をバックエンド処理部１２に供給する。より具体的には、デコード部１５は、ＳＩＧ１をＳＩＧ１ａおよびＳＩＧ１ｂに分割する。そして、デコード部１５は、（ｉ）ＳＩＧ１ａを第１バックエンド処理部１２０Ａに、（ｉｉ）ＳＩＧ１ｂを第２バックエンド処理部１２０Ｂに、それぞれ供給する。このように、映像処理装置には、圧縮映像信号を復号する機能が設けられてもよい。
【００８５】
〔実施形態３〕
図８は、表示装置３（映像処理装置）の要部の構成を示す機能ブロック図である。表示装置３のバックエンド処理部を、バックエンド処理部３２と称する。バックエンド処理部３２は、第１バックエンド処理部３２０Ａ（第１映像処理部）および第２バックエンド処理部３２０Ｂ（第２映像処理部）を備える。
【００８６】
図８では、図１と同様の部分については、図示を適宜省略している。従って、図８では、バックエンド処理部３２およびその周辺の機能ブロックおよび信号のみが図示されている。この点は、以降の図においても同様である。以下、バックエンド処理部３２がＳＩＧ１（第１全体入力映像）を処理する場合を主に例示する。
【００８７】
図９は、バックエンド処理部３２の動作について説明するための図である。第１バックエンド処理部３２０Ａは、ＳＩＧ１ａ（第１サブ入力映像）を参照して、ｒｅｆ１２（第１サブ入力境界映像）を生成する。図９の（ａ）には、ｒｅｆ１２の例が示されている。ｒｅｆ１２は、ＳＩＧ１ａの右端の境界である。より具体的には、ｒｅｆ１２は、ＳＩＧ１（第１全体入力映像）において、ＳＩＧ１ｂと隣接するＳＩＧ１ａの境界である。
【００８８】
なお、実施形態３における「境界」の幅は、１画素に限定されない。従って、「隣接する境界」は、「隣接する部分」と読み替えることもできる。従って、以下に述べる「隣接境界処理」は、「隣接部分処理」と称されてもよい。一例として、境界の幅は、５０画素程度であってよい。境界の幅の画素数は、バックエンド処理部３２における処理（隣接境界処理）に応じて設定されてよい。
【００８９】
隣接境界処理とは、１つの映像（例：第１全体入力映像）を複数の部分領域に分割した場合に行われる映像処理（画像処理）の１つである。具体的には、隣接境界処理とは、「１つの部分領域における他の部分領域との境界において、当該他の部分領域の境界における画素値を参照して当該１つの分割領域の境界に対して施される処理」を意味する。
【００９０】
ｒｅｆ１２は、ＩＭＧＡｌとＩＭＧＣｌとの組み合わせによって表現される。ＩＭＧＡｌは、ＩＭＧＡの右端の境界である。より具体的には、ＩＭＧＡｌは、ＳＩＧ１において、ＩＭＧＢと隣接するＩＭＧＡの境界である。同様に、ＩＭＧＣｌは、ＩＭＧＣの右端の境界である。より具体的には、ＩＭＧＣｌは、ＳＩＧ１において、ＩＭＧＤと隣接するＩＭＧＣの境界である。第１バックエンド処理部３２０Ａは、第２バックエンド処理部３２０Ｂにｒｅｆ１２を供給する。
【００９１】
また、第２バックエンド処理部３２０Ｂは、ＳＩＧ１ｂ（第１残余入力映像）を参照して、ｒｅｆ２１（第１残余入力境界映像）を生成する。図８の（ｂ）には、ｒｅｆ２１の例が示されている。ｒｅｆ２１は、ＳＩＧ１ｂの左端の境界である。より具体的には、ｒｅｆ２１は、ＳＩＧ１において、ＳＩＧ１ａと隣接するＳＩＧ１ｂの境界である。
【００９２】
ｒｅｆ２１は、ＩＭＧＢｌとＩＭＧＤｌとの組み合わせによって表現される。ＩＭＧＢｌは、ＩＭＧＢの左端の境界である。より具体的には、ＩＭＧＢｌは、ＳＩＧ１において、ＩＭＧＡと隣接するＩＭＧＢ境界である。同様に、ＩＭＧＤｌは、ＩＭＧＤの左端の境界である。より具体的には、ＩＭＧＤｌは、ＳＩＧ１において、ＩＭＧＣと隣接するＩＭＧＤの境界である。第２バックエンド処理部３２０Ｂは、第１バックエンド処理部３２０Ａにｒｅｆ２１を供給する。
【００９３】
第２バックエンド処理部３２０Ｂから第１バックエンド処理部３２０Ａにｒｅｆ２１が供給されることにより、第１バックエンド処理部３２０Ａにおいて、ＳＩＧ１ａの右端の境界（ｒｅｆ１２に相当する領域）に隣接境界処理を施すことができる。つまり、第１バックエンド処理部３２０Ａは、ｒｅｆ２１を参照してＳＩＧ１ａを処理できる。
【００９４】
具体的には、第１バックエンド処理部３２０Ａは、ＳＩＧ１ａとｒｅｆ２１とを組み合わせて、ＳＩＧ１ａｐを生成する。ＳＩＧ１ａｐは、ＳＩＧ１ａの右端に、ｒｅｆ２１（ＩＭＧＢｌおよびＩＭＧＤｌ）を付加した映像である。そして、第１バックエンド処理部３２０Ａは、ＳＩＧ１ａｐを処理し、ＳＩＧ４を出力する。つまり、第１バックエンド処理部３２０Ａは、ＳＩＧ１ａの右端に隣接境界処理を施した映像を、ＳＩＧ４として出力できる。
【００９５】
同様に、第１バックエンド処理部３２０Ａから第２バックエンド処理部３２０Ｂにｒｅｆ１２が供給されることにより、第２バックエンド処理部３２０Ｂにおいて、ＳＩＧ１ｂの左端の境界（ｒｅｆ２１に相当する領域）に隣接境界処理を施すことができる。つまり、第２バックエンド処理部３２０Ｂは、ｒｅｆ１２を参照してＳＩＧ１ｂを処理できる。
【００９６】
具体的には、第２バックエンド処理部３２０Ｂは、ＳＩＧ１ｂとｒｅｆ２１とを組み合わせて、ＳＩＧ１ｂｐを生成する。ＳＩＧ１ｂｐは、ＳＩＧ１ｂの左端に、ｒｅｆ１２（ＩＭＧＡｌおよびＩＭＧＣｌ）を付加した映像である。そして、第２バックエンド処理部３２０Ｂは、ＳＩＧ１ｂｐを処理し、ＳＩＧ５を出力する。つまり、第２バックエンド処理部３２０Ｂは、ＳＩＧ１ｂの左端に隣接境界処理を施した映像を、ＳＩＧ５として出力できる。
【００９７】
表示装置３によれば、ＳＩＧ１ａおよびＳＩＧ１ｂのそれぞれに対して、隣接境界処理を施すことが可能となる。それゆえ、表示品位にさらに優れたＳＩＧ４およびＳＩＧ５を提供できる。その結果、表示品位にさらに優れたＳＩＧ６を提供できる。特に、ＳＩＧ１ａとＳＩＧ１ｂとの境界に対応する部分において、ＳＩＧ６の表示品位を向上させることができる。
【００９８】
〔変形例〕
バックエンド処理部３２は、ＳＩＧ２（第２全体入力映像）を処理することもできる。この場合、第１バックエンド処理部３２０Ａは、ＳＩＧ２ａ（第２サブ入力映像）を参照して、第２サブ入力境界映像としてのｒｅｆ１２を生成する。この場合、ｒｅｆ１２は、ＳＩＧ２において、ＳＩＧ２ｂと隣接するＳＩＧ２ａの境界である。ｒｅｆ１２は、ＳＩＧ２ａの右端の境界である。第１バックエンド処理部３２０Ａは、ｒｅｆ１２を第２バックエンド処理部３２０Ｂに供給する。
【００９９】
同様に、第２バックエンド処理部３２０Ｂは、ＳＩＧ２ｂ（第２サブ入力映像）を参照して、第２残余入力境界映像としてのｒｅｆ１２を生成する。この場合、ｒｅｆ２１は、ＳＩＧ２において、ＳＩＧ２ａと隣接するＳＩＧ２ｂの境界である。ｒｅｆ２１は、ＳＩＧ２ｂの左端の境界である。第２バックエンド処理部３２０Ｂは、ｒｅｆ２１を第１バックエンド処理部３２０Ａに供給する。
【０１００】
従って、第１バックエンド処理部３２０Ａは、ｒｅｆ２１を参照してＳＩＧ２ａを処理できる。同様に、第２バックエンド処理部３２０Ｂは、ｒｅｆ１２を参照してＳＩＧ２ｂを処理できる。
【０１０１】
〔実施形態４〕
図１０は、表示装置４（映像処理装置）の要部の構成を示す機能ブロック図である。表示装置４のバックエンド処理部を、バックエンド処理部４２と称する。バックエンド処理部４２は、第１バックエンド処理部４２０Ａ（第１映像処理部）および第２バックエンド処理部４２０Ｂ（第２映像処理部）を備える。
【０１０２】
第１バックエンド処理部４２０Ａには、ＳＩＧ１が入力される。また、第２バックエンド処理部４２０Ｂには、ＳＩＧ２が入力される。つまり、実施形態４では、実施形態１〜３とは異なり、ＳＩＧ１およびＳＩＧ２は、予め分割された形で表示装置４（バックエンド処理部４２）に供給されていない。このように、実施形態４では、バックエンド処理部（第１バックエンド処理部および第２バックエンド処理部）への信号の入力関係が、実施形態１〜３とは異なる。バックエンド処理部４２は、ＳＩＧ１またはＳＩＧ２の一方を処理する。
【０１０３】
（バックエンド処理部４２がＳＩＧ１を処理する場合）
第１バックエンド処理部４２０Ａは、ＳＩＧ１をＳＩＧ１ａとＳＩＧ１ｂと分割する。第１バックエンド処理部４２０Ａは、ＳＩＧ１ａ（つまり、所定の２つの第１部分入力映像）を処理し、ＳＩＧ４を出力する。第１バックエンド処理部４２０Ａは、ＳＩＧ４をＴＣＯＮ１３に出力する。また、第１バックエンド処理部４２０Ａは、第２バックエンド処理部４２０ＢにＳＩＧ１ｂ（上記所定の２つの第１部分入力映像を除いた、残り２つの第１部分入力映像）を供給する。
【０１０４】
第２バックエンド処理部４２０Ｂは、第１バックエンド処理部４２０Ａから供給されたＳＩＧ１ｂを処理し、ＳＩＧ５を生成する。第２バックエンド処理部４２０Ｂは、ＳＩＧ５をＴＣＯＮ１３に供給する。その結果、表示部１４に、ＳＩＧ１に対応する表示映像としてのＳＩＧ６を供給できる。
【０１０５】
（バックエンド処理部４２がＳＩＧ２を処理する場合）
第２バックエンド処理部４２０Ｂは、ＳＩＧ２をＳＩＧ２ａとＳＩＧ２ｂと分割する。第２バックエンド処理部４２０Ｂは、ＳＩＧ２ｂ（つまり、所定の２つの第２部分入力映像）を処理し、ＳＩＧ５を生成する。第２バックエンド処理部４２０Ｂは、ＳＩＧ５をＴＣＯＮ１３に出力する。また、第２バックエンド処理部４２０Ｂは、第１バックエンド処理部４２０ＡにＳＩＧ２ａ（上記所定の２つの第２部分入力映像を除いた、残り２つの第２部分入力映像）を供給する。
【０１０６】
第１バックエンド処理部４２０Ａは、第２バックエンド処理部１２０Ｂから供給されたＳＩＧ２ａを処理し、ＳＩＧ４を生成する。第１バックエンド処理部４２０Ａは、ＳＩＧ４をＴＣＯＮ１３に供給する。その結果、表示部１４に、ＳＩＧ２に対応する表示映像としてのＳＩＧ６を供給できる。
【０１０７】
このように、表示装置４では、第２バックエンド処理部４２０Ｂは、ＳＩＧ２ａ（ＳＩＧ２の残余部）を、第１バックエンド処理部４２０Ａに供給する。表示装置４は、この点において、表示装置１ｒ（図２の比較例）とは異なる。表示装置１ｒでは、スイッチャー１９ｒの出力先は、第１バックエンド処理部１２０Ａｒに固定されている。表示装置１ｒでは、第１バックエンド処理部１２０Ａｒは、映像処理のためのマスターチップであるためである。
【０１０８】
表示装置１ｒでは、第２バックエンド処理部１２０Ｂｒは、映像処理のためのスレーブチップである。このため、表示装置１ｒでは、第２バックエンド処理部１２０Ｂｒは、第１バックエンド処理部１２０Ａｒから、例えばＳＩＧ１の一部（例：ＳＩＧ１ｂ）を受信するに留まる。第２バックエンド処理部１２０Ｂｒ（スレーブチップ）は、自身が受信した信号の一部を、第１バックエンド処理部１２０Ａｒ（マスターチップ）に供給するようには構成されていない。
【０１０９】
これに対して、表示装置４では、第２バックエンド処理部４２０Ｂから第１バックエンド処理部４２０Ａに、ＳＩＧ２ａを供給できる。表示装置４によっても、実施形態１〜３と同様に、スイッチャー１９ｒを省略した場合にも、ＳＩＧ１またはＳＩＧ２の一方を、バックエンド処理部４２において処理できる。すなわち、表示装置４によっても、映像処理装置の構成を従来よりも簡略化できる。
【０１１０】
（表示装置４のさらなる効果）
図１１は、表示装置４のさらなる効果について説明するための図である。図１１の（ａ）に示されるように、ユーザは、例えばＳＩＧ１を縮小した映像（ＳＩＧ１ｓｄ）とＳＩＧＯＳＤ（ＯＳＤ映像）とを重ね合わせた映像（ＳＩＧ７）を、表示部１４に表示させることを所望する場合がある。ＳＩＧ１ｓｄは、ＳＩＧ１ａを縮小した映像（ＳＩＧ１ａｓｄ）とＳＩＧ１ｂを縮小した映像（ＳＩＧ１ｂｓｄ）とによって構成される。
【０１１１】
このような場合、第１バックエンド処理部４２０Ａにおいて、ＳＩＧ４とＳＩＧＯＳＤとの重ね合わせを行う必要がある。以下、ＳＩＧ４とＳＩＧＯＳＤとを重ね合わせた信号を、ＳＩＧ４ＯＳＤと称する。
【０１１２】
実施形態４では、第１バックエンド処理部４２０Ａには、ＳＩＧ１（つまり、ＳＩＧ１ａおよびＳＩＧ１ｂの両方）が入力される。従って、第１バックエンド処理部４２０Ａは、ＳＩＧＯＳＤのサイズおよび形状（位置）に応じてＳＩＧ１を適切に縮小し、ＳＩＧ１ｓｄ（つまり、ＳＩＧ１ａｓｄおよびＳＩＧ１ｂｓｄの両方）を生成できる。それゆえ、以下に述べるＢＬＡＮＫ（空白領域）が生じないように、ＳＩＧ４ＯＳＤを生成できる。ＢＬＡＮＫは、表示不能領域と称されてもよい。
【０１１３】
その結果、表示装置４では、ＳＩＧ４ＯＳＤとＳＩＧ５とを組み合わせて、ＳＩＧ７を得ることができる。従って、ＯＳＤ映像の重ね合わせを行った場合にも、表示品位の高い表示映像を提供できる。表示装置４の構成は、以下に述べる、実施形態１〜３の改善可能な点を踏まえて想到されている。
【０１１４】
図１１の（ｂ）および（ｃ）はそれぞれ、実施形態１〜３（例：実施形態１の表示装置１）において改善可能な点を説明するための図である。図１１の（ｂ）に示されるように、表示装置１では、例えばＳＩＧ１ａを縮小した映像（実施形態４との対比のため、ＳＩＧ１ａｓｄｒと称する）とＳＩＧＯＳＤとを重ね合わせた映像（実施形態４との対比のため、ＳＩＧ４ＯＳＤｒと称する）には、ＢＬＡＮＫが生じる。この理由について、説明する。
【０１１５】
図１１の（ｃ）に示されるように、表示装置１では、第１バックエンド処理部１２０Ａには、ＳＩＧ１ａのみが入力される。加えて、第２バックエンド処理部１２０Ｂから第１バックエンド処理部１２０Ａには、ＳＩＧ１ｂは供給されない。その結果、第１バックエンド処理部１２０ＡにおいてＳＩＧ１ａを縮小すると、ＳＩＧ４ＯＳＤｒにはＢＬＡＮＫが生じる。ＢＬＡＮＫは、本来であれば、ＳＩＧ１ｂｓｄの左端が表示されるべき領域である。第１バックエンド処理部１２０ＡはＳＩＧ１ｂを参照できないので、ＳＩＧ１ａの縮小に起因して当該ＢＬＡＮＫが生じる。
【０１１６】
（補足）
実施形態４に係る映像処理装置は、以下の通り表現できる。本開示の一態様に係る映像表示装置は、第１映像処理部と第２映像処理部とを備えた映像処理装置であって、第１全体入力映像が、第１サブ入力映像と第１残余入力映像とを組み合わせて構成され、第２全体入力映像が、第２サブ入力映像と第２残余入力映像とを組み合わせて構成され、上記第１映像処理部には、上記第１全体入力映像が入力され、上記第２映像処理部には、上記第２全体入力映像が入力され、上記第１映像処理部は、上記第１全体入力映像に含まれる上記第１残余入力映像を上記第２映像処理部に供給し、上記第２映像処理部は、上記第２全体入力映像に含まれる上記第２サブ入力映像を上記第１映像処理部に供給し、上記映像処理装置は、上記第１全体入力映像または上記第２全体入力映像の一方を処理し、上記映像処理装置が上記第１全体入力映像を処理する場合には、上記第１映像処理部は、上記第１全体入力映像に含まれる上記第１サブ入力映像を処理し、かつ、上記第２映像処理部は、上記第１映像処理部から供給された上記第１残余入力映像を処理し、上記映像処理装置が上記第２全体入力映像を処理する場合には、上記第１映像処理部は、上記第２映像処理部から供給された上記第２サブ入力映像を処理し、かつ、上記第２映像処理部は、上記第２全体入力映像に含まれる上記第２残余入力映像を処理する。
【０１１７】
〔実施形態５〕
図１２は、表示装置５（映像処理装置）の要部の構成を示す機能ブロック図である。表示装置５のバックエンド処理部を、バックエンド処理部５２と称する。バックエンド処理部５２は、第１バックエンド処理部５２０Ａ（第１映像処理部）および第２バックエンド処理部５２０Ｂ（第２映像処理部）を備える。
【０１１８】
第１バックエンド処理部５２０Ａには、実施形態１と同様に、ＳＩＧ１ａおよびＳＩＧ２ａが入力される。また、第２バックエンド処理部５２０Ｂには、実施形態１と同様に、ＳＩＧ１ｂおよびＳＩＧ２ｂが入力される。バックエンド処理部５２は、ＳＩＧ１またはＳＩＧ２の一方を処理する。
【０１１９】
（バックエンド処理部５２がＳＩＧ１を処理する場合）
第１バックエンド処理部５２０Ａは、第２バックエンド処理部５２０ＢにＳＩＧ１ａを供給する。また、第２バックエンド処理部５２０Ｂは、第１バックエンド処理部５２０ＡにＳＩＧ１ｂを供給する。
【０１２０】
第１バックエンド処理部５２０Ａは、第２バックエンド処理部５２０Ｂから取得したＳＩＧ１ｂを参照し、ＳＩＧ１ａを処理する。第１バックエンド処理部５２０Ａは、ＳＩＧ１ａの処理の結果として、ＳＩＧ４を生成する。第１バックエンド処理部５２０Ａは、ＳＩＧ４をＴＣＯＮ１３に供給する。
【０１２１】
第２バックエンド処理部５２０Ｂは、第１バックエンド処理部５２０Ａから取得したＳＩＧ１ａを参照し、ＳＩＧ１ｂを処理する。第２バックエンド処理部５２０Ｂは、ＳＩＧ１ｂの処理の結果として、ＳＩＧ５を生成する。第２バックエンド処理部５２０Ｂは、ＳＩＧ５をＴＣＯＮ１３に供給する。その結果、表示部１４に、ＳＩＧ１に対応する表示映像としてのＳＩＧ６を供給できる。
【０１２２】
（バックエンド処理部５２がＳＩＧ２を処理する場合）
第１バックエンド処理部５２０Ａは、第２バックエンド処理部５２０ＢにＳＩＧ２ａを供給する。また、第２バックエンド処理部５２０Ｂは、第１バックエンド処理部５２０ＡにＳＩＧ２ｂを供給する。
【０１２３】
第１バックエンド処理部５２０Ａは、第２バックエンド処理部５２０Ｂから取得したＳＩＧ２ｂを参照し、ＳＩＧ２ａを処理する。第１バックエンド処理部５２０Ａは、ＳＩＧ２ａの処理の結果として、ＳＩＧ４を生成する。第１バックエンド処理部５２０Ａは、ＳＩＧ４をＴＣＯＮ１３に供給する。
【０１２４】
第２バックエンド処理部５２０Ｂは、第１バックエンド処理部５２０Ａから取得したＳＩＧ２ａを参照し、ＳＩＧ２ｂを処理する。第２バックエンド処理部５２０Ｂは、ＳＩＧ２ｂの処理の結果として、ＳＩＧ５を生成する。第２バックエンド処理部５２０Ｂは、ＳＩＧ５をＴＣＯＮ１３に供給する。その結果、表示部１４に、ＳＩＧ２に対応する表示映像としてのＳＩＧ６を供給できる。
【０１２５】
実施形態５においても、実施形態４と同様に、第１バックエンド処理部５２０Ａには、ＳＩＧ１（つまり、ＳＩＧ１ａおよびＳＩＧ１ｂの両方）が入力される。従って、実施形態４と同様に、第１バックエンド処理部５２０Ａにおいて、ＢＬＡＮＫが生じないように、ＳＩＧ４ＯＳＤを生成できる。従って、ＯＳＤ映像の重ね合わせを行った場合にも、表示品位の高い表示映像を提供できる。
【０１２６】
〔実施形態６〕
図１３は、表示装置６（映像処理装置）の要部の構成を示す機能ブロック図である。表示装置６のバックエンド処理部を、バックエンド処理部６２と称する。バックエンド処理部６２は、第１バックエンド処理部６２０Ａ（第１映像処理部）および第２バックエンド処理部６２０Ｂ（第２映像処理部）を備える。
【０１２７】
実施形態６におけるＳＩＧ１・ＳＩＧ２（ＳＩＧ１ａ〜ＳＩＧ２ｂ）の入出力関係は、実施形態５と同様である。実施形態６では、第１バックエンド処理部６２０Ａは、ＳＩＧＯＳＤおよびＳＩＧｚを、第２バックエンド処理部６２０Ｂに供給する。従って、第２バックエンド処理部６２０Ｂにおいても、第１バックエンド処理部６２０Ａと同様にＯＳＤ映像の重ね合わせを行うことが可能となる。この点において、実施形態６の構成は、実施形態４および５とは異なる。
【０１２８】
第２バックエンド処理部６２０Ｂは、ＳＩＧ５とＳＩＧＯＳＤとを重ね合わせた信号として、ＳＩＧ５ＯＳＤを生成できる。第２バックエンド処理部６２０Ｂにおいても、第１バックエンド処理部６２０Ａと同様に、ＢＬＡＮＫが生じないように、ＳＩＧ５ＯＳＤを生成できる。従って、ＯＳＤ映像の重ね合わせを行った場合にも、表示品位の高い表示映像を提供できる。
【０１２９】
（バックエンド処理部の入出力ポートについて）
本開示の一態様に係るバックエンド処理部（例：バックエンド処理部６２）は、映像の入出力のための複数のポートを有している。但し、バックエンド処理部６２とその他の機能部との間では、必ずしも入出力ＩＦは同一ではない。表示装置６の各機能部の少なくとも一部は、例えばＬＳＩ（Large Scale Integrated）チップによって実現されるが、各機能部（各ＬＳＩチップ）間の入出力ＩＦは同一とは限らないためである。
【０１３０】
一例として、（ｉ）フロントエンド処理部１１からバックエンド処理部６２への各信号（ＳＩＧＯＳＤおよびＳＩＧｚ）の入力、および、（ｉｉ）バックエンド処理部６２からＴＣＯＮ１３への各信号（ＳＩＧ４およびＳＩＧ５）の出力には、ＬＳＩ間伝送ＩＦが用いられる。また、第１バックエンド処理部６２０Ａと第２バックエンド処理部６２０Ｂとの間の各信号（例：ＳＩＧ１ａおよびＳＩＧ１ｂ）の入出力にも、ＬＳＩ間伝送ＩＦが用いられる。ＬＳＩ間伝送ＩＦの例としては、Ｖ−ｂｙ−Ｏｎｅ  ＨＳ、ｅＤＰ（embedded Display Port）、ＬＶＤＳ（Low Voltage Differential Signaling）、およびｍｉｎｉ−ＬＶＤＳ等が挙げられる。
【０１３１】
これに対して、８Ｋ信号源９９からバックエンド処理部６２への各信号（ＳＩＧ１ａ〜ＳＩＧ２ｂ）の入力には、機器間伝送ＩＦが用いられる。機器間伝送ＩＦの例としては、ＨＤＭＩ（High-Definition Multimedia Interface）（登録商標）およびＤｉｓｐｌａｙ  Ｐｏｒｔ等が挙げられる。従って、本開示の一態様に係る映像処理装置において、第１バックエンド処理部および第２バックエンド処理部はそれぞれ、ＬＳＩ間伝送ＩＦおよび機器間伝送ＩＦの両方を有するように設計されている。
【０１３２】
〔実施形態７〕
上述の実施形態１〜６では、第１サブ入力映像と第１残余入力映像とが、それぞれ、第１全体入力映像の半分（１／２）を構成する場合を例示した。つまり、第１全体入力映像が、半分ずつ分割される場合を例示した。
【０１３３】
但し、第１全体入力映像は、不均一に分割されてもよい。つまり、第１サブ入力映像と第１残余入力映像とは、サイズの異なる映像であってもよい。この点は、第２全体入力映像（第２サブ入力映像および第２残余入力映像）についても同様である。
【０１３４】
図１４は、表示装置７（映像処理装置）の要部の構成を示す機能ブロック図である。表示装置７のバックエンド処理部を、バックエンド処理部７２と称する。バックエンド処理部７２は、第１バックエンド処理部７２０Ａ（第１映像処理部）および第２バックエンド処理部７２０Ｂ（第２映像処理部）を備える。
【０１３５】
実施形態７では、ＳＩＧ１（第１全体入力映像）は、ＳＩＧ１ｃ（第１サブ入力映像）とＳＩＧ１ｄ（第１残余入力映像）とによって構成されている。同様に、ＳＩＧ２（第２全体入力映像）は、ＳＩＧ２ｃ（第２サブ入力映像）とＳＩＧ１ｄ（第２残余入力映像）とによって構成されている。
【０１３６】
図１５は、バックエンド処理部７２に入力される映像について説明するための図である。図１５の（ａ）に示されるように、ＳＩＧ１ｃは、ＩＭＧＡ〜ＩＭＧＣ（３つの４Ｋ映像）から成る。換言すれば、ＳＩＧ１ｃは、ＳＩＧ１ａにＩＭＧＢをさらに付加した映像である。このように、ＳＩＧ１ｃは、ＳＩＧ１の３／４を構成する。これに対して、図１５の（ｂ）に示されるように、ＳＩＧ１ｄは、ＩＭＧＤ（１つの４Ｋ映像）のみから成る。換言すれば、ＳＩＧ１ｄは、ＳＩＧ１ｂからＩＭＧＢを取り除いた映像である。このように、ＳＩＧ１ｄは、ＳＩＧ１の１／４を構成する。
【０１３７】
同様に、図１５の（ｃ）に示されるように、ＳＩＧ２ｃは、ＩＭＧＦ〜ＩＭＧＨ（３つの４Ｋ映像）から成る。換言すれば、ＳＩＧ２ｃは、ＳＩＧ２ｂにＩＭＧＧをさらに付加した映像である。このように、ＳＩＧ２ｃは、ＳＩＧ２の３／４を構成する。これに対して、図１５の（ｄ）に示されるように、ＳＩＧ２ｄは、ＩＭＧＥ（１つの４Ｋ映像）のみから成る。換言すれば、ＳＩＧ２ｄは、ＳＩＧ２ａからＩＭＧＧを取り除いた映像である。このように、ＳＩＧ２ｄは、ＳＩＧ２の１／４を構成する。
【０１３８】
図１４に示されるように、第１バックエンド処理部７２０Ａには、ＳＩＧ１ｃおよびＳＩＧ２ｄが入力される。また、第２バックエンド処理部７２０Ｂには、ＳＩＧ１ｄおよびＳＩＧ２ｃが入力される。バックエンド処理部７２は、ＳＩＧ１またはＳＩＧ２の一方を処理する。
【０１３９】
（バックエンド処理部７２がＳＩＧ１を処理する場合）
第１バックエンド処理部７２０Ａは、ＳＩＧ１ｃをＩＭＧＡ〜ＩＭＧＣ（３つの第１部分入力映像）に分割する。第１バックエンド処理部７２０Ａは、ＩＭＧＡおよびＩＭＧＣ（上記３つの第１部分入力映像のうち、所定の２つの第１部分入力映像）（ＳＩＧ１ａ）を処理して、ＳＩＧ４を生成する。第１バックエンド処理部７２０Ａは、ＳＩＧ４をＴＣＯＮ１３に供給する。
【０１４０】
また、第１バックエンド処理部７２０Ａは、ＩＭＧＢを、ＳＩＧＭ１２として、第２バックエンド処理部７２０Ｂに供給する。ＳＩＧＭ１２は、第１バックエンド処理部７２０Ａが取得した映像のうち、第１バックエンド処理部７２０Ａの処理の対象として選択されなかった映像（上記所定の２つの第１部分入力映像を除いた、残り１つの第１部分入力映像）を意味する。
【０１４１】
第２バックエンド処理部７２０Ｂは、（ｉ）第１バックエンド処理部７２０Ａから取得したＳＩＧＭ１２（ＩＭＧＢ）と、（ｉｉ）ＳＩＧ１ｄ（ＩＭＧＤ）（第１バックエンド処理部７２０Ａに入力されなかった１つの第１部分入力映像）と、をそれぞれ処理する。このように、第２バックエンド処理部７２０Ｂは、ＩＭＧＢとＩＭＧＤ（つまり、残り２つの第１部分入力映像）（ＳＩＧ１ｂ）を処理して、ＳＩＧ５を生成する。第２バックエンド処理部７２０Ｂは、ＳＩＧ５をＴＣＯＮ１３に供給する。その結果、表示部１４に、ＳＩＧ１に対応する表示映像としてのＳＩＧ６を供給できる。
【０１４２】
（バックエンド処理部７２がＳＩＧ２を処理する場合）
第２バックエンド処理部７２０Ｂは、ＳＩＧ２ｃをＩＭＧＦ〜ＩＭＧＨ（３つの第１部分入力映像）に分割する。第２バックエンド処理部７２０Ｂは、ＩＭＧＦおよびＩＭＧＨ（上記３つの第２部分入力映像のうち、所定の２つの第２部分入力映像）（ＳＩＧ２ｂ）を処理して、ＳＩＧ５を生成する。第２バックエンド処理部７２０Ｂは、ＳＩＧ５をＴＣＯＮ１３に供給する。
【０１４３】
また、第２バックエンド処理部７２０Ｂは、ＩＭＧＧを、ＳＩＧＭ２１として、第１バックエンド処理部７２０Ａに供給する。ＳＩＧＭ２１は、第２バックエンド処理部７２０Ｂが取得した映像のうち、第２バックエンド処理部７２０Ｂの処理の対象として選択されなかった映像（上記所定の２つの第２部分入力映像を除いた、残り１つの第２部分入力映像）を意味する。
【０１４４】
第１バックエンド処理部７２０Ａは、（ｉ）第１バックエンド処理部７２０Ａから取得したＳＩＧＭ２１（ＩＭＧＧ）と、（ｉｉ）ＳＩＧ２ｄ（ＩＭＧＥ）（第２バックエンド処理部７２０Ｂに入力されなかった１つの第２部分入力映像）と、をそれぞれ処理する。このように、第２バックエンド処理部７２０Ｂは、ＩＭＧＢとＩＭＧＤ（つまり、残り２つの第２部分入力映像）（ＳＩＧ２ａ）を処理して、ＳＩＧ５を生成する。第２バックエンド処理部７２０Ｂは、ＳＩＧ５をＴＣＯＮ１３に供給する。その結果、表示部１４に、ＳＩＧ２に対応する表示映像としてのＳＩＧ６を供給できる。
【０１４５】
表示装置７によっても、実施形態１〜６と同様に、スイッチャー１９ｒを省略した場合にも、ＳＩＧ１またはＳＩＧ２の一方を、バックエンド処理部７２において処理できる。すなわち、表示装置７によっても、映像処理装置の構成を従来よりも簡略化できる。
【０１４６】
なお、実施形態７の構成は、「２つの映像処理部のうちの一方の映像処理部（例：第１バックエンド処理部）が処理の対象としなかった映像（処理しきれなかった映像）を、当該一方の映像処理部から他方の映像処理部（例：第２バックエンド処理部）に供給する」という点において、実施形態４の構成と一致する。
【０１４７】
但し、実施形態４では、４つの第１部分入力映像（ＩＭＧＡ〜ＩＭＧＤ）が第１バックエンド処理部に入力されている。また、４つの第２部分入力映像（ＩＭＧＥ〜ＩＭＧＨ）が第２バックエンド処理部に入力されている。便宜上、実施形態４における、第１バックエンド処理部および第２バックエンド処理部に対する、第１全体入力映像および上記第２全体入力映像の入力の態様を、「入力態様１」と称する。入力態様１では、４つの第１部分入力映像（例：ＩＭＧＡ〜ＩＭＧＤ）が第１バックエンド処理部に入力され、かつ、４つの第２部分入力映像（例：ＩＭＧＥ〜ＩＭＧＨ）が第２バックエンド処理部に入力される。
【０１４８】
これに対して、実施形態７における、第１バックエンド処理部および第２バックエンド処理部に対する、第１全体入力映像および上記第２全体入力映像の入力の態様を、「入力態様２」と称する。入力態様２では、３つの第１部分入力映像（例：ＩＭＧＡ〜ＩＭＧＣ）と１つの第２部分入力映像（例：ＩＭＧＥ）（４つの第２部分入力映像のうち、第２バックエンド処理部に入力されなかった第２部分入力映像）が第１バックエンド処理部に入力される。また、１つの第１部分入力映像（例：ＩＭＧＤ）（４つの第１部分入力映像のうち、第１バックエンド処理部に入力されなかった第１部分入力映像）と３つの第２部分入力映像（例：ＩＭＧＦ〜Ｈ）が第２バックエンド処理部に入力される。
【０１４９】
このように、実施形態７の構成は、少なくとも入力態様において、実施形態４の構成と相違する。以下に述べる変形例および実施形態８では、入力態様２を採用した場合の、映像処理装置のバリエーションについて述べる。
【０１５０】
〔変形例〕
図１６は、実施形態７の一変形例に係る表示装置７Ｖ（映像処理装置）の要部の構成を示す機能ブロック図である。表示装置７Ｖのバックエンド処理部を、バックエンド処理部７２Ｖと称する。バックエンド処理部７２Ｖは、第１バックエンド処理部７２０ＡＶ（第１映像処理部）および第２バックエンド処理部７２０ＢＶ（第２映像処理部）を備える。
【０１５１】
第１バックエンド処理部および第２バックエンド処理部に入力される第１部分入力映像および第２部分入力映像の組み合わせは、実施形態７の例に限定されない。一例として、表示装置７Ｖでは、ＳＩＧ２は、ＳＩＧ２ｅ（第２サブ入力映像）とＳＩＧ１ｆ（第２残余入力映像）とによって構成されている。表示装置７Ｖによっても、表示装置７と同様の効果が得られる。後述する表示装置８についても同様である。
【０１５２】
図１７は、バックエンド処理部７２Ｖに入力される映像について説明するための図である。図１７の（ａ）に示されるように、ＳＩＧ１ｅは、ＩＭＧＥ〜ＩＭＧＧ（３つの４Ｋ映像）から成る。換言すれば、ＳＩＧ１ｅは、ＳＩＧ２ａにＩＭＧＦをさらに付加した映像である。これに対して、図１７の（ｂ）に示されるように、ＳＩＧ２ｆは、ＩＭＧＨ（１つの４Ｋ映像）のみから成る。換言すれば、ＳＩＧ２ｆは、ＳＩＧ２ｂからＩＭＧＦを取り除いた映像である。
【０１５３】
図１７に示されるように、第１バックエンド処理部７２０ＡＶには、ＳＩＧ１ｃおよびＳＩＧ２ｆが入力される。また、第２バックエンド処理部７２０ＢＶには、ＳＩＧ１ｄおよびＳＩＧ２ｅが入力される。バックエンド処理部７２Ｖは、ＳＩＧ１またはＳＩＧ２の一方を処理する。
【０１５４】
（バックエンド処理部７２ＶがＳＩＧ１を処理する場合）
第１バックエンド処理部７２０ＡＶは、ＳＩＧ１ｃをＩＭＧＡ〜ＩＭＧＣ（３つの第１部分入力映像）に分割する。第１バックエンド処理部７２０ＡＶは、ＩＭＧＡとＩＭＧＢ（上記３つの第１部分入力映像のうち、所定の２つの第１部分入力映像）とを処理して、ＳＩＧ４を生成する。第１バックエンド処理部７２０Ａは、ＳＩＧ４をＴＣＯＮ１３に供給する。
【０１５５】
また、第１バックエンド処理部７２０ＡＶは、ＩＭＧＣを、ＳＩＧＭ１２（上記所定の２つの第１部分入力映像を除いた、残り１つの第１部分入力映像）として、第２バックエンド処理部７２０ＢＶに供給する。
【０１５６】
第２バックエンド処理部７２０ＢＶは、（ｉ）第１バックエンド処理部７２０ＡＶから取得したＳＩＧＭ１２（ＩＭＧＣ）と、（ｉｉ）ＳＩＧ１ｄ（ＩＭＧＤ）（第１バックエンド処理部７２０ＡＶに入力されなかった１つの第１部分入力映像）と、をそれぞれ処理する。このように、第２バックエンド処理部７２０ＢＶは、ＩＭＧＣとＩＭＧＤ（つまり、残り２つの第１部分入力映像）を処理して、ＳＩＧ５を生成する。第２バックエンド処理部７２０ＢＶは、ＳＩＧ５をＴＣＯＮ１３に供給する。その結果、表示部１４に、ＳＩＧ１に対応する表示映像としてのＳＩＧ６を供給できる。
【０１５７】
（バックエンド処理部７２ＶがＳＩＧ２を処理する場合）
第２バックエンド処理部７２０ＢＶは、ＳＩＧ２ｅをＩＭＧＥ〜ＩＭＧＧ（３つの第２部分入力映像）に分割する。第２バックエンド処理部７２０ＢＶは、ＩＭＧＥとＩＭＧＦ（上記３つの第２部分入力映像のうち、所定の２つの第２部分入力映像）とを処理して、ＳＩＧ５を生成する。第２バックエンド処理部７２０Ｂは、ＳＩＧ５をＴＣＯＮ１３に供給する。
【０１５８】
また、第２バックエンド処理部７２０ＢＶは、ＩＭＧＧを、ＳＩＧＭ２１（上記所定の２つの第２部分入力映像を除いた、残り１つの第２部分入力映像）として、第１バックエンド処理部７２０ＡＶに供給する。
【０１５９】
第１バックエンド処理部７２０ＡＶは、（ｉ）第２バックエンド処理部７２０ＢＶから取得したＳＩＧＭ２１（ＩＭＧＧ）と、（ｉｉ）ＳＩＧ２ｆ（ＩＭＧＨ）（第２バックエンド処理部７２０ＢＶに入力されなかった１つの第２部分入力映像）と、をそれぞれ処理する。このように、第１バックエンド処理部７２０ＡＶは、ＩＭＧＧとＩＭＧＨ（つまり、残り２つの第２部分入力映像）を処理して、ＳＩＧ４を生成する。第１バックエンド処理部７２０ＡＶは、ＳＩＧ４をＴＣＯＮ１３に供給する。その結果、表示部１４に、ＳＩＧ２に対応する表示映像としてのＳＩＧ６を供給できる。
【０１６０】
〔実施形態８〕
図１８は、表示装置８（映像処理装置）の要部の構成を示す機能ブロック図である。表示装置８のバックエンド処理部を、バックエンド処理部８２と称する。バックエンド処理部８２は、第１バックエンド処理部８２０Ａ（第１映像処理部）および第２バックエンド処理部８２０Ｂ（第２映像処理部）を備える。
【０１６１】
実施形態８では、ＳＩＧ１は、ＳＩＧ１ｅ（第１サブ入力映像）とＳＩＧ１ｆ（第１残余入力映像）とによって構成されている。また、ＳＩＧ２は、図１６の場合と同様に、ＳＩＧ２ｅとＳＩＧ２ｆとによって構成されている。
【０１６２】
図１９は、バックエンド処理部８２に入力される映像について説明するための図である。図１９の（ａ）に示されるように、ＳＩＧ２ｅは、ＩＭＧＢ〜ＩＭＧＤ（３つの４Ｋ映像）から成る。換言すれば、ＳＩＧ２ｅは、ＳＩＧ１ｂにＩＭＧＣをさらに付加した映像である。これに対して、図１９の（ｂ）に示されるように、ＳＩＧ１ｆは、ＩＭＧＡ（１つの４Ｋ映像）のみから成る。換言すれば、ＳＩＧ１ｆは、ＳＩＧ１ａからＩＭＧｂを取り除いた映像である。
【０１６３】
図１８に示されるように、第１バックエンド処理部８２０Ａには、ＳＩＧ１ｅおよびＳＩＧ２ｆが入力される。また、第２バックエンド処理部８２０Ｂには、ＳＩＧ１ｆおよびＳＩＧ２ｅが入力される。バックエンド処理部８２は、ＳＩＧ１またはＳＩＧ２の一方を処理する。
【０１６４】
（バックエンド処理部８２がＳＩＧ１を処理する場合）
第１バックエンド処理部８２０Ａは、ＳＩＧ１ｅをＩＭＧＢ〜ＩＭＧＤ（３つの第１部分入力映像）に分割する。また、第１バックエンド処理部８２０Ａは、第２バックエンド処理部８２０Ｂから、ＳＩＧＭ２１（ＩＭＧＡ）を取得する。
【０１６５】
第１バックエンド処理部８２０Ａは、（ｉ）第２バックエンド処理部８２０Ｂから取得したＳＩＧＭ２１（ＩＭＧＡ）と、（ｉｉ）ＩＭＧＣ（上記３つの第１部分入力映像のうち、所定の１つの第１部分入力映像）と、をそれぞれ処理する。このように、第１バックエンド処理部８２０Ａは、ＩＭＧＡおよびＩＭＧＣ（つまり、２つの第１部分入力映像）（ＳＩＧ１ａ）を処理して、ＳＩＧ４を生成する。第１バックエンド処理部７２０Ａは、ＳＩＧ４をＴＣＯＮ１３に供給する。
【０１６６】
また、第１バックエンド処理部８２０Ａは、ＩＭＧＢおよびＩＭＧＤを、ＳＩＧＭ１２（上記所定の１つの第１部分入力映像を除いた、２つの第１部分入力映像）として、第２バックエンド処理部８２０Ｂに供給する。
【０１６７】
第２バックエンド処理部８２０Ｂは、第１バックエンド処理部７２０Ａから取得したＳＩＧＭ１２（ＩＭＧＢおよびＩＭＧＤ）（ＳＩＧ１ｂ）を処理して、ＳＩＧ５を生成する。第２バックエンド処理部８２０Ｂは、ＳＩＧ５をＴＣＯＮ１３に供給する。その結果、表示部１４に、ＳＩＧ１に対応する表示映像としてのＳＩＧ６を供給できる。
【０１６８】
また、第２バックエンド処理部８２０Ｂは、ＩＭＧＡ（ＳＩＧ１ｆ）を、ＳＩＧＭ２１として、第１バックエンド処理部８２０Ａに供給する。
【０１６９】
（バックエンド処理部８２がＳＩＧ２を処理する場合）
第２バックエンド処理部８２０Ｂは、ＳＩＧ２ｅをＩＭＧＥ〜ＩＭＧＧ（３つの第２部分入力映像）に分割する。また、第２バックエンド処理部８２０Ｂは、第１バックエンド処理部８２０Ａから、ＳＩＧＭ１２（ＩＭＧＨ）を取得する。
【０１７０】
第２バックエンド処理部８２０Ｂは、（ｉ）第１バックエンド処理部８２０Ａから取得したＳＩＧＭ１２（ＩＭＧＨ）と、（ｉｉ）ＩＭＧＦ（上記３つの第１部分入力映像のうち、所定の１つの第２部分入力映像）と、をそれぞれ処理する。このように、第２バックエンド処理部８２０Ｂは、ＩＭＧＦおよびＩＭＧＨ（つまり、２つの第２部分入力映像）（ＳＩＧ２ｂ）を処理して、ＳＩＧ５を生成する。第２バックエンド処理部８２０Ｂは、ＳＩＧ５をＴＣＯＮ１３に供給する。
【０１７１】
また、第２バックエンド処理部８２０Ｂは、ＩＭＧＥおよびＩＭＧＧを、ＳＩＧＭ２１（上記所定の１つの第２部分入力映像を除いた、２つの第２部分入力映像）として、第１バックエンド処理部８２０Ａに供給する。
【０１７２】
第１バックエンド処理部８２０Ａは、第２バックエンド処理部８２０Ａから取得したＳＩＧＭ２１（ＩＭＧＥおよびＩＭＧＧ）（ＳＩＧ２ａ）を処理して、ＳＩＧ４を生成する。第１バックエンド処理部８２０Ａは、ＳＩＧ４をＴＣＯＮ１３に供給する。その結果、表示部１４に、ＳＩＧ２に対応する表示映像としてのＳＩＧ６を供給できる。
【０１７３】
また、第１バックエンド処理部８２０Ａは、ＩＭＧＨ（ＳＩＧ２ｆ）を、ＳＩＧＭ１２として、第２バックエンド処理部８２０Ｂに供給する。
【０１７４】
（補足）
なお、実施形態４、７〜８の映像処理装置は、以下の（１）〜（２）において共通している。
【０１７５】
（１）上記映像処理装置が上記第１全体入力映像を処理する場合には、上記第１映像処理部は、（ｉ）当該第１映像処理部に入力された３つ以上の上記第１単位入力映像のうち、所定の１つ以上の上記第１単位入力映像を処理し、かつ、（ｉｉ）当該所定の１つ以上の上記第１単位入力映像を除いた、残りの上記第１単位入力映像を上記第２映像処理部に供給する。また、上記第２映像処理部は、（ｉ）上記第１映像処理部に入力されなかった１つの上記第１単位入力映像、および、（ｉｉ）上記第１映像処理部から供給された残りの上記第１単位入力映像、の少なくとも一方を処理する。
【０１７６】
（２）上記映像処理装置が上記第２全体入力映像を処理する場合には、上記第２映像処理部は、（ｉ）当該第２映像処理部に入力された３つ以上の上記第２単位入力映像のうち、所定の１つ以上の上記第２単位入力映像を処理し、かつ、（ｉｉ）当該所定の１つ以上の上記第２単位入力映像を除いた、残りの上記第２単位入力映像を上記第１映像処理部に供給し、上記第１映像処理部は、（ｉ）上記第２映像処理部に入力されなかった１つの上記第２単位入力映像、および、（ｉｉ）上記第２映像処理部から供給された残りの上記第２単位入力映像、の少なくとも一方を処理する。
【０１７７】
〔ソフトウェアによる実現例〕
表示装置１〜８の制御ブロック（特にバックエンド処理部１２〜８２）は、集積回路（ＩＣチップ）等に形成された論理回路（ハードウェア）によって実現してもよいし、ソフトウェアによって実現してもよい。
【０１７８】
後者の場合、表示装置１〜８は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本開示の一態様の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本開示の一態様は、上記プログラムが電子的な伝送によって具現化された、搬送波に埋め込まれたデータ信号の形態でも実現され得る。
【０１７９】
〔まとめ〕
本開示の態様１に係る映像処理装置（表示装置１）は、第１映像処理部（第１バックエンド処理部１２０Ａ）と第２映像処理部（第２バックエンド処理部１２０Ｂ）とを備えた映像処理装置であって、第１全体入力映像（ＳＩＧ１）が、第１サブ入力映像（ＳＩＧ１ａ）と第１残余入力映像（ＳＩＧ１ｂ）とを組み合わせて構成され、第２全体入力映像（ＳＩＧ２）が、第２サブ入力映像（ＳＩＧ２ａ）と第２残余入力映像（ＳＩＧ２ｂ）とを組み合わせて構成され、上記第１映像処理部には、上記第１サブ入力映像と上記第２サブ入力映像とが入力され、上記第２映像処理部には、上記第１残余入力映像と上記第２残余入力映像とが入力され、上記映像処理装置は、上記第１全体入力映像または上記第２全体入力映像の一方を処理し、上記映像処理装置が上記第１全体入力映像を処理する場合には、上記第１映像処理部が上記第１サブ入力映像を処理し、かつ、上記第２映像処理部が上記第１残余入力映像を処理し、上記映像処理装置が上記第２全体入力映像を処理する場合には、上記第１映像処理部が上記第２サブ入力映像を処理し、かつ、上記第２映像処理部が上記第２残余入力映像を処理する。
【０１８０】
上記の構成によれば、従来の映像処理装置とは異なり、第１全体入力映像および第２全体入力映像（例：２つの８Ｋ映像）を映像処理装置に同時に入力する場合に、スイッチャーを省略できる。それゆえ、映像処理装置の構成を従来よりも簡略化することが可能となる。
【０１８１】
本開示の態様２に係る映像処理装置では、上記態様１において、上記第１全体入力映像において、上記第１残余入力映像と隣接する上記第１サブ入力映像の境界を第１サブ入力境界映像として、上記第１サブ入力映像と隣接する上記第１残余入力映像の境界を第１残余入力境界映像として、上記映像処理装置が上記第１全体入力映像を処理する場合には、上記第１映像処理部は、上記第１サブ入力境界映像を上記第２映像処理部に供給し、上記第２映像処理部は、上記第１残余入力境界映像を上記第１映像処理部に供給し、上記第１映像処理部は、上記第２映像処理部から供給された上記第１残余入力境界映像を参照して上記第１サブ入力映像を処理し、かつ、上記第２映像処理部は、上記第１映像処理部から供給された上記第１サブ入力境界映像を参照して上記第１残余入力映像を処理し、上記第２全体入力映像において、上記第２残余入力映像と隣接する上記第２サブ入力映像の境界を第２サブ入力境界映像として、上記第２サブ入力映像と隣接する上記第２残余入力映像の境界を第２残余入力境界映像として、上記映像処理装置が上記第２全体入力映像を処理する場合には、上記第１映像処理部は、上記第２サブ入力境界映像を上記第２映像処理部に供給し、上記第２映像処理部は、上記第２残余入力境界映像を上記第１映像処理部に供給し、上記第１映像処理部は、上記第２映像処理部から供給された上記第２残余入力境界映像を参照して上記第２サブ入力映像を処理し、かつ、上記第２映像処理部は、上記第１映像処理部から供給された上記第２サブ入力境界映像を参照して上記第２残余入力映像を処理してよい。
【０１８２】
上記の構成によれば、例えば、第１サブ入力映像および第１残余入力映像のそれぞれに対して、隣接境界処理を施すことが可能となる。それゆえ、映像処理によって第１全体入力映像の表示品位をさらに向上させることができる。
【０１８３】
本開示の態様３に係る映像処理装置では、上記態様１または２において、上記映像処理装置が上記第１全体入力映像を処理する場合には、上記第１映像処理部は、上記第１サブ入力映像を上記第２映像処理部に供給し、上記第２映像処理部は、上記第１残余入力映像を上記第１映像処理部に供給し、上記第１映像処理部は、上記第２映像処理部から供給された上記第１残余入力映像を参照して上記第１サブ入力映像を処理し、かつ、上記第２映像処理部は、上記第１映像処理部から供給された上記第１サブ入力映像を参照して上記第１残余入力映像を処理し、上記映像処理装置が上記第２全体入力映像を処理する場合には、上記第１映像処理部は、上記第２サブ入力映像を上記第２映像処理部に供給し、上記第２映像処理部は、上記第２残余入力映像を上記第１映像処理部に供給し、上記第１映像処理部は、上記第２映像処理部から供給された上記第２残余入力映像を参照して上記第２サブ入力映像を処理し、かつ、上記第２映像処理部は、上記第１映像処理部から供給された上記第２サブ入力映像を参照して上記第２残余入力映像を処理してよい。
【０１８４】
上記の構成によれば、第１バックエンド処理部において、ＯＳＤ映像の重ね合わせを好適に行うことができる。
【０１８５】
本開示の態様４に係る映像処理装置では、上記態様３において、上記第１映像処理部は、外部からＯＳＤ（On Screen Display）映像を取得し、上記第１映像処理部は、上記ＯＳＤ映像を上記第２映像処理部に供給してよい。
【０１８６】
上記の構成によれば、第２バックエンド処理部においても、ＯＳＤ映像の重ね合わせを好適に行うことができる。
【０１８７】
本開示の態様５に係る表示装置（１）は、上記態様１から４のいずれか１つに係る映像処理装置と、表示部（１４）と、を備えていてよい。
【０１８８】
本開示の態様６に係る映像処理装置は、第１映像処理部と第２映像処理部とを備えた映像処理装置であって、第１全体入力映像が、４つの第１単位入力映像（例：ＩＭＧＡ〜ＩＭＧＤ）によって構成され、第２全体入力映像が、４つの第２単位入力映像（例：ＩＭＧＥ〜ＩＭＧＨ）によって構成され、上記映像処理装置は、上記第１全体入力映像または上記第２全体入力映像の一方を処理し、上記第１全体入力映像および上記第２全体入力映像は、以下の（入力態様１）または（入力態様２）のいずれか一方によって、上記第１映像処理部および上記第２映像処理部に入力され、（入力態様１）：４つの上記第１単位入力映像が上記第１映像処理部に入力され、かつ、４つの上記第２単位入力映像が上記第２映像処理部に入力される；（入力態様２）：３つの上記第１単位入力映像と１つの上記第２単位入力映像とが上記第１映像処理部に入力され、かつ、上記第１映像処理部に入力されなかった、１つの上記第１単位入力映像と３つの上記第２単位入力映像とが第２映像処理部に入力される；上記映像処理装置が上記第１全体入力映像を処理する場合には、上記第１映像処理部は、（ｉ）当該第１映像処理部に入力された３つ以上の上記第１単位入力映像のうち、所定の１つ以上の上記第１単位入力映像を処理し、かつ、（ｉｉ）当該所定の１つ以上の上記第１単位入力映像を除いた、残りの上記第１単位入力映像を上記第２映像処理部に供給し、上記第２映像処理部は、（ｉ）上記第１映像処理部に入力されなかった１つの上記第１単位入力映像、および、（ｉｉ）上記第１映像処理部から供給された残りの上記第１単位入力映像、の少なくとも一方を処理し、上記映像処理装置が上記第２全体入力映像を処理する場合には、上記第２映像処理部は、（ｉ）当該第２映像処理部に入力された３つ以上の上記第２単位入力映像のうち、所定の１つ以上の上記第２単位入力映像を処理し、かつ、（ｉｉ）当該所定の１つ以上の上記第２単位入力映像を除いた、残りの上記第２単位入力映像を上記第１映像処理部に供給し、上記第１映像処理部は、（ｉ）上記第２映像処理部に入力されなかった１つの上記第２単位入力映像、および、（ｉｉ）上記第２映像処理部から供給された残りの上記第２単位入力映像、の少なくとも一方を処理する。
【０１８９】
上記の構成によっても、スイッチャーを省略できるので、映像処理装置の構成を従来よりも簡略化することが可能となる。
【０１９０】
本開示の態様７に係る映像処理装置では、上記態様６において、上記第１全体入力映像および上記第２全体入力映像は、上記（入力態様１）によって、上記第１映像処理部および上記第２映像処理部に入力され、上記映像処理装置が上記第１全体入力映像を処理する場合には、上記第１映像処理部は、（ｉ）当該第１映像処理部に入力された４つの上記第１単位入力映像のうち、所定の２つの上記第１単位入力映像を処理し、かつ、（ｉｉ）当該所定の２つの上記第１単位入力映像を除いた、残り２つの上記第１単位入力映像を上記第２映像処理部に供給し、上記第２映像処理部は、上記第１映像処理部から供給された残り２つの上記第１単位入力映像を処理し、上記映像処理装置が上記第２全体入力映像を処理する場合には、上記第２映像処理部は、（ｉ）当該第２映像処理部に入力された４つの上記第２単位入力映像のうち、所定の２つの上記第２単位入力映像を処理し、かつ、（ｉｉ）当該所定の２つの上記第２単位入力映像を除いた、残り２つの上記第２単位入力映像を上記第１映像処理部に供給し、上記第１映像処理部は、上記第２映像処理部から供給された残り２つの上記第２単位入力映像を処理してよい。
【０１９１】
本開示の態様８に係る映像処理装置では、上記態様６において、上記第１全体入力映像および上記第２全体入力映像は、上記（入力態様２）によって、上記第１映像処理部および上記第２映像処理部に入力され、上記映像処理装置が上記第１全体入力映像を処理する場合には、上記第１映像処理部は、（ｉ）当該第１映像処理部に入力された３つの上記第１単位入力映像のうち、所定の２つの上記第１単位入力映像を処理し、かつ、（ｉｉ）当該所定の２つの上記第１単位入力映像を除いた、残り１つの上記第１単位入力映像を上記第２映像処理部に供給し、上記第２映像処理部は、（ｉ）上記第１映像処理部に入力されなかった１つの上記第１単位入力映像、および、（ｉｉ）上記第１映像処理部から供給された残り１つの上記第１単位入力映像、の両方を処理し、上記映像処理装置が上記第２全体入力映像を処理する場合には、上記第２映像処理部は、（ｉ）当該第２映像処理部に入力された３つの上記第２単位入力映像のうち、所定の２つの上記第２単位入力映像を処理し、かつ、（ｉｉ）当該所定の２つの上記第２単位入力映像を除いた、残り１つの上記第２単位入力映像を上記第２映像処理部に供給し、上記第１映像処理部は、（ｉ）上記第２映像処理部に入力されなかった１つの上記第２単位入力映像、および、（ｉｉ）上記第２映像処理部から供給された残り１つの上記第２単位入力映像、の両方を処理してよい。
【０１９２】
本開示の態様９に係る映像処理装置では、上記態様６において、上記第１全体入力映像および上記第２全体入力映像は、上記（入力態様２）によって、上記第１映像処理部および上記第２映像処理部に入力され、上記映像処理装置が上記第１全体入力映像を処理する場合には、上記第１映像処理部は、上記第１映像処理部に入力されなかった１つの上記第１単位入力映像を、上記第２映像処理部から取得し、上記第１映像処理部は、（ｉ）当該第１映像処理部に初めに入力された３つの上記第１単位入力映像のうち、所定の１つの上記第１単位入力映像を処理し、（ｉｉ）上記第２映像処理部から取得した１つの上記第１単位入力映像を処理し、かつ、（ｉｉｉ）当該所定の１つの上記第１単位入力映像を除いた、残り２つの上記第１単位入力映像を上記第２映像処理部に供給し、上記第２映像処理部は、上記第１映像処理部から供給された残り２つの上記第１単位入力映像を処理し、上記映像処理装置が上記第２全体入力映像を処理する場合には、上記第２映像処理部は、上記第２映像処理部に入力されなかった１つの上記第２単位入力映像を、上記第１映像処理部から取得し、上記第２映像処理部は、（ｉ）当該第２映像処理部に初めに入力された３つの上記第２単位入力映像のうち、所定の１つの上記第２単位入力映像を処理し、（ｉｉ）上記第１映像処理部から取得した１つの上記第２単位入力映像を処理し、かつ、（ｉｉｉ）当該所定の１つの上記第２単位入力映像を除いた、残り２つの上記第２単位入力映像を上記第１映像処理部に供給し、上記第１映像処理部は、上記第２映像処理部から供給された残り２つの上記第２単位入力映像を処理してよい。
【０１９３】
本開示の態様１０に係る表示装置は、上記態様６から９のいずれか１つに係る映像処理装置と、表示部と、を備えていてよい。
【０１９４】
〔付記事項〕
本開示の一態様は、上述した各実施形態に限定されるものではなく、請求項に示した範囲で種々の変更が可能であり、異なる実施形態にそれぞれ開示された技術的手段を適宜組み合わせて得られる実施形態についても本開示の一態様の技術的範囲に含まれる。さらに、各実施形態にそれぞれ開示された技術的手段を組み合わせることにより、新しい技術的特徴を形成できる。
【０１９５】
〔本開示の一態様の別の表現〕
本開示の一態様は、以下のようにも表現できる。
【０１９６】
すなわち、本開示の一態様に係る映像処理装置は、入力映像を処理するバックエンド処理部を複数備える映像処理装置であって、上記バックエンド処理部は、それぞれ複数の上記入力映像を受ける手段を有し、上記複数のバックエンド処理部は、複数の上記入力映像を切り替えて処理する。
【０１９７】
また、本開示の一態様に係る映像処理装置は、第１全体入力映像または第２全体入力映像のいずれか一方を処理する映像処理装置であって、第１映像処理部と第２映像処理部とを備え、上記第１全体入力映像は、４個の第１部分入力画像から構成され、上記第２全体入力映像は、４個の第２部分入力画像から構成され、上記第１全体入力映像と上記第２全体入力映像とは、以下の２通りのいずれかで上記第１映像処理部と上記第２映像処理部に入力され、（１）４個の上記第１部分入力画像が上記第１映像処理部に入力され、４個の上記第２部分入力画像が上記第２映像処理部に入力される；（２）３個の上記第１部分入力画像と１個の上記第２部分入力画像が上記第１映像処理部に入力され、１個の上記第１部分入力画像と３個の上記第２部分入力画像が上記第２映像処理部に入力される；上記映像処理装置が上記第１全体入力映像を処理する場合には、上記第１映像処理部は、該第１映像処理部に入力された（複数の）上記第１部分入力画像のうち、２個の該第１部分入力画像を処理し、残りの該第１部分入力画像を上記第２映像処理部に出力し、上記第２映像処理部は、最初から該第２映像処理部に入力された１個の上記第１部分入力画像および／または上記第１映像処理部から出力された上記残りの第１部分入力画像を処理し、上記映像処理装置が上記第２全体入力映像を処理する場合には、上記第２映像処理部は、該第２映像処理部に入力された（複数の）上記第２部分入力画像のうち、２個の該第２部分入力画像を処理し、残りの該第２部分入力画像を上記第１映像処理部に出力し、上記第１映像処理部は、最初から該第１映像処理部に入力された１個の上記第２部分入力画像および／または上記第２映像処理部から出力された上記残りの第２部分入力画像を処理する。
【図１】
2019111815.tif 000003
【図２】
2019111815.tif 000004
【図３】
2019111815.tif 000005
【図４】
2019111815.tif 000006
【図５】
2019111815.tif 000007
【図６】
2019111815.tif 000008
【図７】
2019111815.tif 000009
【図８】
2019111815.tif 000010
【図９】
2019111815.tif 000011
【図１０】
2019111815.tif 000012
【図１１】
2019111815.tif 000013
【図１２】
2019111815.tif 000014
【図１３】
2019111815.tif 000015
【図１４】
2019111815.tif 000016
【図１５】
2019111815.tif 000017
【図１６】
2019111815.tif 000018
【図１７】
2019111815.tif 000019
【図１８】
2019111815.tif 000020
【図１９】
2019111815.tif 000021
【手続補正書】
【提出日】令和2年5月21日(2020.5.21)
【手続補正１】
【補正対象書類名】特許請求の範囲
【補正対象項目名】全文
【補正方法】変更
【補正の内容】
【特許請求の範囲】
【請求項１】
第１映像処理部と第２映像処理部とを備えた映像処理装置であって、
第１全体入力映像が、第１サブ入力映像と第１残余入力映像とを組み合わせて構成され、
第２全体入力映像が、第２サブ入力映像と第２残余入力映像とを組み合わせて構成され、
前記第１全体入力映像、前記第１サブ入力映像、前記第１残余入力映像、前記第２全体入力映像、前記第２サブ入力映像および前記第２残余入力映像はそれぞれ、複数のフレームから成る映像であり、
上記第１映像処理部には、上記第１サブ入力映像と上記第２サブ入力映像とが入力され、
上記第２映像処理部には、上記第１残余入力映像と上記第２残余入力映像とが入力され、
上記映像処理装置は、上記第１全体入力映像または上記第２全体入力映像の一方を処理し、
上記映像処理装置が上記第１全体入力映像を処理する場合には、
上記第１映像処理部が上記第１サブ入力映像を処理し、かつ、上記第２映像処理部が上記第１残余入力映像を処理し、
上記映像処理装置が上記第２全体入力映像を処理する場合には、
上記第１映像処理部が上記第２サブ入力映像を処理し、かつ、上記第２映像処理部が上記第２残余入力映像を処理することを特徴とする映像処理装置。
【請求項２】
上記第１全体入力映像において、
上記第１残余入力映像と隣接する上記第１サブ入力映像の境界を第１サブ入力境界映像として、
上記第１サブ入力映像と隣接する上記第１残余入力映像の境界を第１残余入力境界映像として、
上記映像処理装置が上記第１全体入力映像を処理する場合には、
上記第１映像処理部は、上記第１サブ入力境界映像を上記第２映像処理部に供給し、
上記第２映像処理部は、上記第１残余入力境界映像を上記第１映像処理部に供給し、
上記第１映像処理部は、上記第２映像処理部から供給された上記第１残余入力境界映像を参照して上記第１サブ入力映像を処理し、かつ、
上記第２映像処理部は、上記第１映像処理部から供給された上記第１サブ入力境界映像を参照して上記第１残余入力映像を処理し、
上記第２全体入力映像において、
上記第２残余入力映像と隣接する上記第２サブ入力映像の境界を第２サブ入力境界映像として、
上記第２サブ入力映像と隣接する上記第２残余入力映像の境界を第２残余入力境界映像として、
上記映像処理装置が上記第２全体入力映像を処理する場合には、
上記第１映像処理部は、上記第２サブ入力境界映像を上記第２映像処理部に供給し、
上記第２映像処理部は、上記第２残余入力境界映像を上記第１映像処理部に供給し、
上記第１映像処理部は、上記第２映像処理部から供給された上記第２残余入力境界映像を参照して上記第２サブ入力映像を処理し、かつ、
上記第２映像処理部は、上記第１映像処理部から供給された上記第２サブ入力境界映像を参照して上記第２残余入力映像を処理することを特徴とする請求項１に記載の映像処理装置。
【請求項３】
上記映像処理装置が上記第１全体入力映像を処理する場合には、
上記第１映像処理部は、上記第１サブ入力映像を上記第２映像処理部に供給し、
上記第２映像処理部は、上記第１残余入力映像を上記第１映像処理部に供給し、
上記第１映像処理部は、上記第２映像処理部から供給された上記第１残余入力映像を参照して上記第１サブ入力映像を処理し、かつ、
上記第２映像処理部は、上記第１映像処理部から供給された上記第１サブ入力映像を参照して上記第１残余入力映像を処理し、
上記映像処理装置が上記第２全体入力映像を処理する場合には、
上記第１映像処理部は、上記第２サブ入力映像を上記第２映像処理部に供給し、
上記第２映像処理部は、上記第２残余入力映像を上記第１映像処理部に供給し、
上記第１映像処理部は、上記第２映像処理部から供給された上記第２残余入力映像を参照して上記第２サブ入力映像を処理し、かつ、
上記第２映像処理部は、上記第１映像処理部から供給された上記第２サブ入力映像を参照して上記第２残余入力映像を処理することを特徴とする請求項１または２に記載の映像処理装置。
【請求項４】
上記第１映像処理部は、外部からＯＳＤ映像を取得し、
上記第１映像処理部は、上記ＯＳＤ映像を上記第２映像処理部に供給することを特徴とする請求項３に記載の映像処理装置。
【請求項５】
請求項１から４のいずれか１項に記載の映像処理装置と、
表示部と、を備えることを特徴とする表示装置。
【請求項６】
第１映像処理部と第２映像処理部とを備えた映像処理装置であって、
第１全体入力映像が、４つの第１単位入力映像によって構成され、
第２全体入力映像が、４つの第２単位入力映像によって構成され、
上記映像処理装置は、上記第１全体入力映像または上記第２全体入力映像の一方を処理し、
上記第１全体入力映像および上記第２全体入力映像は、以下の（入力態様１）または（入力態様２）のいずれか一方によって、上記第１映像処理部および上記第２映像処理部に入力され、
（入力態様１）：
４つの上記第１単位入力映像が上記第１映像処理部に入力され、かつ、
４つの上記第２単位入力映像が上記第２映像処理部に入力される；
（入力態様２）：
３つの上記第１単位入力映像と１つの上記第２単位入力映像とが上記第１映像処理部に入力され、かつ、
上記第１映像処理部に入力されなかった、１つの上記第１単位入力映像と３つの上記第２単位入力映像とが第２映像処理部に入力される；
上記映像処理装置が上記第１全体入力映像を処理する場合には、
上記第１映像処理部は、（ｉ）当該第１映像処理部に入力された３つ以上の上記第１単位入力映像のうち、所定の１つ以上の上記第１単位入力映像を処理し、かつ、（ｉｉ）当該所定の１つ以上の上記第１単位入力映像を除いた、残りの上記第１単位入力映像を上記第２映像処理部に供給し、
上記第２映像処理部は、（ｉ）上記第１映像処理部に入力されなかった１つの上記第１単位入力映像、および、（ｉｉ）上記第１映像処理部から供給された残りの上記第１単位入力映像、の少なくとも一方を処理し、
上記映像処理装置が上記第２全体入力映像を処理する場合には、
上記第２映像処理部は、（ｉ）当該第２映像処理部に入力された３つ以上の上記第２単位入力映像のうち、所定の１つ以上の上記第２単位入力映像を処理し、かつ、（ｉｉ）当該所定の１つ以上の上記第２単位入力映像を除いた、残りの上記第２単位入力映像を上記第１映像処理部に供給し、
上記第１映像処理部は、（ｉ）上記第２映像処理部に入力されなかった１つの上記第２単位入力映像、および、（ｉｉ）上記第２映像処理部から供給された残りの上記第２単位入力映像、の少なくとも一方を処理することを特徴とする映像処理装置。
【請求項７】
上記第１全体入力映像および上記第２全体入力映像は、上記（入力態様１）によって、上記第１映像処理部および上記第２映像処理部に入力され、
上記映像処理装置が上記第１全体入力映像を処理する場合には、
上記第１映像処理部は、（ｉ）当該第１映像処理部に入力された４つの上記第１単位入力映像のうち、所定の２つの上記第１単位入力映像を処理し、かつ、（ｉｉ）当該所定の２つの上記第１単位入力映像を除いた、残り２つの上記第１単位入力映像を上記第２映像処理部に供給し、
上記第２映像処理部は、上記第１映像処理部から供給された残り２つの上記第１単位入力映像を処理し、
上記映像処理装置が上記第２全体入力映像を処理する場合には、
上記第２映像処理部は、（ｉ）当該第２映像処理部に入力された４つの上記第２単位入力映像のうち、所定の２つの上記第２単位入力映像を処理し、かつ、（ｉｉ）当該所定の２つの上記第２単位入力映像を除いた、残り２つの上記第２単位入力映像を上記第１映像処理部に供給し、
上記第１映像処理部は、上記第２映像処理部から供給された残り２つの上記第２単位入力映像を処理することを特徴とする請求項６に記載の映像処理装置。
【請求項８】
上記第１全体入力映像および上記第２全体入力映像は、上記（入力態様２）によって、上記第１映像処理部および上記第２映像処理部に入力され、
上記映像処理装置が上記第１全体入力映像を処理する場合には、
上記第１映像処理部は、（ｉ）当該第１映像処理部に入力された３つの上記第１単位入力映像のうち、所定の２つの上記第１単位入力映像を処理し、かつ、（ｉｉ）当該所定の２つの上記第１単位入力映像を除いた、残り１つの上記第１単位入力映像を上記第２映像処理部に供給し、
上記第２映像処理部は、（ｉ）上記第１映像処理部に入力されなかった１つの上記第１単位入力映像、および、（ｉｉ）上記第１映像処理部から供給された残り１つの上記第１単位入力映像、の両方を処理し、
上記映像処理装置が上記第２全体入力映像を処理する場合には、
上記第２映像処理部は、（ｉ）当該第２映像処理部に入力された３つの上記第２単位入力映像のうち、所定の２つの上記第２単位入力映像を処理し、かつ、（ｉｉ）当該所定の２つの上記第２単位入力映像を除いた、残り１つの上記第２単位入力映像を上記第１映像処理部に供給し、
上記第１映像処理部は、（ｉ）上記第２映像処理部に入力されなかった１つの上記第２単位入力映像、および、（ｉｉ）上記第２映像処理部から供給された残り１つの上記第２単位入力映像、の両方を処理することを特徴とする請求項６に記載の映像処理装置。
【請求項９】
上記第１全体入力映像および上記第２全体入力映像は、上記（入力態様２）によって、上記第１映像処理部および上記第２映像処理部に入力され、
上記映像処理装置が上記第１全体入力映像を処理する場合には、
上記第１映像処理部は、上記第１映像処理部に入力されなかった１つの上記第１単位入力映像を、上記第２映像処理部から取得し、
上記第１映像処理部は、（ｉ）当該第１映像処理部に初めに入力された３つの上記第１単位入力映像のうち、所定の１つの上記第１単位入力映像を処理し、（ｉｉ）上記第２映像処理部から取得した１つの上記第１単位入力映像を処理し、かつ、（ｉｉｉ）当該所定の１つの上記第１単位入力映像を除いた、残り２つの上記第１単位入力映像を上記第２映像処理部に供給し、
上記第２映像処理部は、上記第１映像処理部から供給された残り２つの上記第１単位入力映像を処理し、
上記映像処理装置が上記第２全体入力映像を処理する場合には、
上記第２映像処理部は、上記第２映像処理部に入力されなかった１つの上記第２単位入力映像を、上記第１映像処理部から取得し、
上記第２映像処理部は、（ｉ）当該第２映像処理部に初めに入力された３つの上記第２単位入力映像のうち、所定の１つの上記第２単位入力映像を処理し、（ｉｉ）上記第１映像処理部から取得した１つの上記第２単位入力映像を処理し、かつ、（ｉｉｉ）当該所定の１つの上記第２単位入力映像を除いた、残り２つの上記第２単位入力映像を上記第１映像処理部に供給し、
上記第１映像処理部は、上記第２映像処理部から供給された残り２つの上記第２単位入力映像を処理することを特徴とする請求項６に記載の映像処理装置。
【請求項１０】
請求項６から９のいずれか１項に記載の映像処理装置と、
表示部と、を備えることを特徴とする表示装置。
【国際調査報告】
2019111815.tif 000022
2019111815.tif 000023
2019111815.tif 000024